(57)【特許請求の範囲】
【請求項１】
遊技球が流下可能な遊技領域が形成された遊技盤と、遊技球が通過可能な第１，第２始動領域とを有する遊技機において、
前記遊技領域の遊技球を前記第１，第２始動領域に振り分け可能な振分装置を備え、
前記振分装置は、
前記遊技盤に取り付けられるベース部材と、
前記ベース部材の前面に固定されるケース部材と、
遊技球を導入する導入口を含む導入通路と、
前記導入通路から分岐して遊技球を前記第１，第２始動領域へ誘導する第１，第２誘導通路と、
前記第１，第２誘導通路から遊技球を外部へ夫々排出可能な第１，第２排出口と、
前記導入通路に導入される複数の遊技球を前記第１誘導通路と前記第２誘導通路とに振り分ける振分手段とを有し、
前記振分手段は、
前記ベース部材と前記ケース部材とに軸部材を介して回動自在に枢支され、遊技球を振り分ける為の複数の羽根を有する回動部材と、
前記回動部材のうちの前記複数の羽根よりも後方部位に取り付けられた可動磁石と、
前記可動磁石よりも後方において前記ベース部材に取り付けられ、前記可動磁石に対して反発する磁力を発生する固定磁石とを備え、
前記ベース部材に前記回動部材の前記後方部位を受容可能な受容部が形成され、
前記ベース部材のうちの前記受容部の後端側部分に前記固定磁石を収容可能な磁石収容部が設けられ、
前記導入通路に遊技球を減速させる減速手段を設けた、
ことを特徴とする遊技機。
【発明の詳細な説明】
【技術分野】
【０００１】
本発明は、遊技機に関し、特に遊技球を第１，第２始動領域に振り分け可能な振分装置に特徴を有するものである。
【背景技術】
【０００２】
パチンコ遊技機の遊技領域の中央部の下部には第１，第２始動口を含む始動口装置が配設されている。一般的な始動口装置では、第１始動口の直下に、可変入賞口からなる第２始動口が配置されている。また、別の始動口装置として、例えば、特許文献１に記載されたような振分装置を組み込んだ始動口装置も実用に供されている。
【０００３】
この始動口装置は、電動役物（１対の羽根）の間に遊技球が導入される導入口（入賞口）と導入通路を形成し、この導入通路の下端部に遊技球を第１，第２始動口に交互に振り分ける振分装置を配置し、振分装置で振り分けた遊技球を第１，第２始動口に夫々誘導する第１，第２誘導通路を振分装置下側の左側部と右側部とに夫々設け、第１，第２誘導通路の下端部に第１，第２始動口を配置している。
【０００４】
前記振分装置は、開角約９０度をなす３枚の羽根を有する回動式の振分部材の左部と右部に夫々収容部を形成し、遊技球が左側収容部に入った場合には、振分部材が左側へ回動してその遊技球が第１誘導通路へ流れ、この第１誘導通路を通って第１始動口に誘導される。遊技球が右側収容部に入った場合には、振分部材が右側へ回動してその遊技球が第２誘導通路へ流れ、この第２誘導通路を通って第２始動口に誘導される。
【０００５】
前記振分装置は、振分部材に取り付けられた棒状の可動磁石と、可動磁石よりも後方においてベース体に取り付けられ、可動磁石に対して反発する磁力を発生する固定磁石を備え、前記収容部に入った遊技球の自重により傾動した振分部材が、固定磁石と可動磁石との反発力により傾動した状態で回動限界位置に停止保持される。
【先行技術文献】
【特許文献】
【０００６】
【特許文献１】特開２０１３−２１２２２４号公報
【発明の概要】
【発明が解決しようとする課題】
【０００７】
特許文献１に記載されたような振分装置においては、可動磁石に対して反発する固定磁石の磁力を調整する場合、材質によって磁力特性が異なる種々の磁石の中から磁石を選択するが、その際、固定磁石の取り付け取外しが面倒である。更に、固定磁石と可動磁石間の距離や固定磁石の長さを変更する場合には、その変更された距離や長さに応じて固定磁石の取り付け構造を設計変更する必要がある。特許文献１の振分装置においては、具体的な磁石の取り付け構造については記載されていない。
【０００８】
本発明は、磁石の取り付け取外しを容易にでき且つ設計変更の自由度が大きい磁石の取り付け構造を備えた振分装置を有する遊技機を提供することである。
【課題を解決するための手段】
【０００９】
本願発明は以下の構成を有するものである。尚、参照符号は、本願発明の理解促進の為に図面に図示した構成要素との対応関係の一例を示したものであり、本願発明の技術的範囲を限定するものではない。
本発明は、遊技球が流下可能な遊技領域(4a)が形成された遊技盤(4)と、遊技球が通過可能な第１，第２始動領域(10a,10b)とを有する遊技機(1)において、前記遊技領域(4a)の遊技球を前記第１，第２始動領域(10a,10b)に振り分け可能な振分装置(20)を備え、前記振分装置(20)は、前記遊技盤(4)に取り付けられるベース部材(21)と、前記ベース部材(21)の前面に固定されるケース部材(22)と、遊技球を導入する導入口(23a)を含む導入通路(23)と、前記導入通路(23)から分岐して遊技球を前記第１，第２始動領域(10a,10b)へ誘導する第１，第２誘導通路(24,25)と、前記第１，第２誘導通路(24,25)から遊技球を外部へ夫々排出可能な第１，第２排出口(24c,24d,25c,25d)と、前記導入通路(23)に導入される複数の遊技球を前記第１誘導通路(24)と前記第２誘導通路(25)とに振り分ける振分手段(30)とを有し、前記振分手段(30)は、前記ベース部材(21)と前記ケース部材(22)とに軸部材(34)を介して回動自在に枢支され、遊技球を振り分ける為の複数の羽根(31c〜31e)を有する回動部材(31)と、前記回動部材(31)のうちの前記複数の羽根(31c〜31e)よりも後方部位に取り付けられた可動磁石(32b)と、前記可動磁石(32b)よりも後方において前記ベース部材(21)に取り付けられ、前記可動磁石(32b)に対して反発する磁力を発生する固定磁石(32a)とを備え、前記ベース部材(21)に前記回動部材(31)の前記後方部位を受容可能な受容部(33a)が形成され、前記ベース部材(21)のうちの前記受容部(33a)の後端側部分に前記固定磁石(32a)を収容可能な磁石収容部(37a)が設けられ、前記導入通路(23)に遊技球を減速させる減速手段(23b,23c)を設けたことを特徴とする。
【発明の効果】
【００１２】
本発明によれば、磁石の取り付け取外しを容易にでき且つ設計変更の自由度が大きい磁石の取り付け構造でもって、磁石の磁力を適性に調整することができる。
【図面の簡単な説明】
【００１３】
【図１】本発明の実施例に係るパチンコ遊技機の前方上側からの斜視図である。
【図２】遊技機の遊技盤（第１，第２の可動役物装置が初期状態）の正面図である。
【図３】遊技盤の（第１の可動役物装置が作動状態）の正面図である。
【図４】遊技盤の（第２の可動役物装置が作動状態）の正面図である。
【図５】始動口装置に設けた振分装置の正面図である。
【図６】振分装置の左側面図である。
【図７】振分装置の平面図である。
【図８】振分装置の分解斜視図である。
【図９】振分装置のベース部材の正面図である。
【図１０】振分装置のケース部材の背面図である。
【図１１】図５のＸＩ−ＸＩ線断面図である。
【図１２】第１の可動役物装置（役物本体が初期位置、第２可動役物が第１位置）の正面図である。
【図１３】第１の可動役物装置（役物本体が第１進出位置、第２可動役物が第２位置）の正面図である。
【図１４】第１の可動役物装置（第１可動役物が第２進出位置、第２可動役物が間隔を拡大した状態）の正面図である。
【図１５】第１の可動役物装置（第１可動役物が第３進出位置、第２可動役物が傾動した状態）の正面図である。
【図１６】図１２の第１の可動役物装置の前方上側からの斜視図である。
【図１７】図１２の第１の可動役物装置の前方下側からの斜視図である。
【図１８】第１ベース部材の正面図である。
【図１９】第１，第２可動役物の前方上側からの斜視図である。
【図２０】第１，第２可動役物の正面図である。
【図２１】第１，第２可動役物の背面図である。
【図２２】第１可動役物の前方上側からの斜視図である。
【図２３】第１可動役物の正面図である。
【図２４】第１可動役物の後方上側からの斜視図である。
【図２５】第２可動役物の前方上側からの斜視図である。
【図２６】第２可動役物の背面図である。
【図２７】第２可動役物の後方上側からの斜視図である。
【図２８】第２の可動役物装置（回動役物が第１回動位置、反転役物が第１反転位置、可動役物が収納位置）の正面図である。
【図２９】第２の可動役物装置（回動役物が第２回動位置、反転役物が第１反転位置、可動役物が収納位置）の正面図である。
【図３０】第２の可動役物装置（回動役物が第２回動位置、反転役物が第２反転位置、可動役物が収納位置）の正面図である。
【図３１】第２の可動役物装置（回動役物が第２回動位置、反転役物が第２反転位置、可動役物が展開位置）の正面図である。
【図３２】図３０の第２の可動役物装置の後方上側からの斜視図である。
【図３３】第２の可動役物装置の回動駆動手段を視認可能に切り欠いた前方上側からの斜視図である。
【図３４】第２の可動役物装置の反転駆動手段を視認可能に切り欠いた要部の前方上側からの斜視図である。
【図３５】反転役物本体と可動役物と役物作動手段の後方上側からの斜視図である。
【図３６】可動役物と役物作動手段の後方上側からの斜視図である。
【図３７】可動役物と役物作動手段の背面図である。
【図３８】可動役物と役物作動手段の一部を省略した後方上側からの斜視図である。
【図３９】主動可動役物と第１従動可動役物の後方上側からの斜視図である。
【図４０】反転役物本体の前方上側からの斜視図である。
【図４１】サブ画像表示装置の前方上側からの分解斜視図である。
【図４２】サブ画像表示装置の後方上側からの分解斜視図である。
【図４３】マイクロレンズ２次元アレイの分解斜視図である。
【図４４】マイクロレンズ２次元アレイの断面図である。
【図４５】マイクロレンズ２次元アレイの１組のマイクロレンズと等価な光学系を示す図である。
【図４６】反転役物本体の正面図である。
【図４７】サブ画像表示装置の背面図である。
【図４８】反転役物本体とサブ画像表示装置の前方上側から分解斜視図である。
【図４９】第１係合手段の断面図であり、（１）が係合解除状態を示し、（２）が係合状態を示す。
【図５０】第２係合手段の断面図であり、（１）が係合解除状態を示し、（２）が係合状態を示す。
【図５１】第２の可動役物装置の各種基板とその接続を示す図である。
【図５２】第１，第２，第３フレキシブルケーブルの分解斜視図である。
【図５３】第１，第２，第３フレキシブルケーブルの構造を示す図である。
【図５４】第１，第２，第３フレキシブルケーブルの配列を含む回路図である。
【図５５】変更例に係る第２フレキシブルケーブルの構造を示す図である。
【図５６】変更例に係る第１，第２フレキシブルケーブルの構造を示す図である。
【図５７】反転駆動手段及びコイルバネの前方上側からの斜視図である。
【図５８】反転駆動手段及びコイルバネの後方上側からの斜視図である。
【図５９】反転駆動手段及びコイルバネの後方上側からの斜視図である。
【図６０】軸部材とその支持構造、及びコイルバネの正面図である。
【図６１】軸部材及びコイルバネの前方上側からの斜視図である。
【図６２】パチンコ遊技機の制御系のブロック図である。
【図６３】パチンコ遊技機の制御系の要部のブロック図である。
【図６４】パチンコ遊技機の機能ブロック図である。
【図６５】大当り判定テーブルに関する図表である。
【図６６】図柄判定テーブルを示す図表である。
【図６７】図柄別の特別遊技中の大入賞口の開閉パターンと特別遊技終了後の遊技状態を示す図表である。
【図６８】第２始動口作動モードに関する図表である。
【図６９】複数の遊技状態とそれらの設定内容を示す図表である。
【図７０】（１）が複数の図柄変動演出、（２）が複数の特別遊技演出、（３）が複数のエンディングを夫々示す図表である。
【図７１】サブ画像表示装置に演出画像を表示させる図柄変動演出を示す図表である。
【発明を実施するための形態】
【００１４】
以下、発明を実施するための形態について実施例に基づいて説明する。
【実施例】
【００１５】
図１〜図４に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。
【００１６】
開閉枠２の左端部に開閉扉３の左端部が鉛直軸心回りに回動自在に支持され、開閉扉３の右端部には、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１７】
開閉扉３には、窓３ａの下側に遊技球を貯留する貯留皿５が設けられ、その貯留皿５に遊技者が操作可能な演出ボタンＳＷ６（「ＳＷ」はスイッチを意味する）が装着され、貯留皿５の右下側に発射ハンドル７が装着されている。
【００１８】
発射ハンドル７が回動操作されると、貯留皿５から発射位置に導入された遊技球が発射され、貯留皿５に複数の遊技球が貯留されている場合、複数の遊技球が約0.6秒間隔で連続発射される。発射された遊技球はガイドレール８で案内され遊技領域４ａの上部に導入される。
【００１９】
図２〜図４、図６２に示すように、遊技領域４ａには、多数の障害釘（図示略）の他、第１始動口１０ａと第２始動口１０ｂとを有する始動口装置１０と、開閉式の第２始動口１１ａを有する第２始動口装置１１と、ゲート１２と、開閉式の大入賞口１３ａを有する大入賞口装置１３と、複数の一般入賞口１４が、夫々遊技球が入賞（通過・入球）可能に図示の配置で設けられている。ゲート１２と複数の一般入賞口１４には、入賞した遊技球を検出するゲートＳＷ１２ａと複数の一般入賞口ＳＷ１４ａが夫々付設されている。
【００２０】
始動口装置１０は、第１始動口１０ａ（第１始動領域１０ａ）と、第２始動口１０ｂ（第２始動領域１０ｂ）と、第１始動口１０ａに入賞した遊技球を検出する第１始動口ＳＷ１０ｃと、第２始動口１０ｂに入賞した遊技球を検出する第２始動口ＳＷ１０ｄと、遊技球を第１，第２始動口１０ａ，１０ｂに振り分け可能な振分装置２０とを備えている。
【００２１】
第２始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄとを有する。第２始動口１１ａは、開閉部材１１ｂと第２始動口ＳＯＬ１１ｄにより、通常は遊技球が入賞し難い（入賞不可能な）閉状態となり、この閉状態と遊技球が入賞し易い開状態とに作動し得る。
【００２２】
大入賞口装置１３は、大入賞口１３ａと、大入賞口１３ａを開閉する開閉部材１３ｂと、大入賞口１３ａに入賞した遊技球を検出する大入賞口ＳＷ１３ｃと、開閉部材１３ｂを開閉駆動する大入賞口ＳＯＬ１３ｄとを有する。大入賞口１３ａは、開閉部材１３ｂと大入賞口ＳＯＬ１３ｄにより、通常は遊技球が入賞し難い（入賞不可能な）閉状態となり、この閉状態と遊技球が入賞し易い開状態とに作動し得る。
【００２３】
遊技領域４ａに発射された遊技球が入賞口１０ａ，１０ｂ，１１ａ，１３ａ，１４の何れかに入賞すると、遊技球１個の入賞につき入賞口１０ａ，１０ｂ，１１ａ，１３ａ，１４毎に設定された数（数個〜10数個）の遊技球が賞球として貯留皿５に払出される。遊技領域４ａに発射された遊技球が入賞口１０ａ，１０ｂ，１１ａ，１３ａ，１４の何れにも入賞しないと、最終的に下部排出口９から遊技領域４ａの外部へ排出される。
【００２４】
遊技球が始動口１０ａ，１０ｂ，１１ａの何れかに入賞すると大当り抽選が行われ、その大当り抽選で当選すると、大入賞口１３ａが開放する大当り遊技が発生する。遊技球がゲート１２を通過すると当り抽選が行われ、その当り抽選で当選すると、第２始動口１１ａが開放する補助遊技が発生する。
【００２５】
遊技盤４にはセンタ役物１５が取付けられ、このセンタ役物１５に遊技演出用の画像表示装置１６と第１，第２の可動役物装置１７，１８が装備されている。センタ役物１５は、そのセンタ枠体１５ａが遊技盤４に形成されたセンタ開口部（図示略）に嵌合装着され、そのセンタ枠体１５ａの下部には遊技球が転動するステージ１５ｂが形成されている。画像表示装置１６は、その画面をパチンコ遊技機１の前側からセンタ枠体１５ａの内側を通して視認可能に配置され、この画像表示装置１６には演出画像が表示される。
【００２６】
遊技盤４の右下部に遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２７】
第１特図表示器１９ａに第１特別図柄が変動可能に表示され、第１特図保留ランプ１９ｄに第１特図保留数が表示され、第１特図保留数は４未満の場合に第１始動口１０ａに遊技球が入賞する毎に１加算される。
【００２８】
第２特図表示器１９ｂに第２特別図柄が変動可能に表示され、第２特図保留ランプ１９ｅに第２特図保留数が表示され、第２特図保留数は４未満の場合に第２始動口１０ｂ，１１ａの何れかに遊技球が入賞する毎に１加算される。
【００２９】
第１，第２特別図柄が変動停止状態で、第１特図保留数が１以上の場合に第１特図保留数が１減算されて、第１特別図柄が変動開始され、その後の停止図柄で大当り抽選の結果が表示され、或いは、第２特図保留数が１以上の場合に第２特図保留数が１減算されて、第２特別図柄が変動開始され、その後の停止図柄で大当り抽選の結果が表示される。
【００３０】
普図表示器１９ｃに普通図柄が変動可能に表示され、普図保留ランプ１９ｆに普図保留数が表示され、普図保留数は４未満の場合にゲート１２に遊技球が入賞する毎に１加算される。
【００３１】
普通図柄が変動停止状態で、普図保留数が１以上の場合に普図保留数が１減算されて、普通図柄が変動開始され、その後の停止図柄で当り抽選の結果が表示される。
【００３２】
次に、始動口装置１０とその振分装置２０について、図５〜図１１に基づいて説明する。尚、パチンコ遊技機１を正面から視た場合の前後左右方向を前後左右方向として説明する。図５〜図１１に示すように、振分装置２０のケーシングは透明な合成樹脂材料で形成され、板状のベース部材２１と、このベース部材２１の前面に複数のビスで固定されたケース部材２２とで構成され、ベース部材２１の後面には位置決め用の４つのピン部２１ａが一体形成され、これらピン部２１ａを遊技盤４のピン穴に嵌合させた状態でベース部材２１とケース部材２２が遊技盤４の前面に固定される。振分装置２０は、遊技球を導入する導入口２３ａを含む導入通路２３と、第１，第２誘導通路２４，２５と、第１，第２排出口２４ｃ，２４ｄ，２５ｃ，２５ｄと、振分手段３０とを備えている。
【００３３】
導入口２３ａは、振分装置２０の上端部の中央部に、ベース部材２１とケース部材２２とで上方に開口する遊技球が１つだけ通過可能な矩形穴に形成されている。導入通路２３は導入口２３ａから下方へ連なる短い鉛直通路であり、導入通路２３の下端に臨むように振分手段３０が配置されている。第１，第２誘導通路２４，２５は、導入通路２３の下端から左右に分岐して遊技球を第１，第２始動口１０ａ，１０ｂへ夫々誘導するように、ベース部材２１とケース部材２２で形成されている。第１，第２誘導通路２４，２５は、図５の中心線Ｃに対して左右対称に形成されている。第１，第２誘導通路２４，２５の下端部の後部に第１，第２始動口１０ａ，１０ｂが夫々設けられ、第１，第２始動口１０ａ，１０ｂには、第１，第２始動口ＳＷ１０ｃ，１０ｄが夫々設けられている。
【００３４】
図５、図６、図１０、図１１に示すように、第１誘導通路２４は、導入通路２３から左側へ斜め下方へ延びる第１傾斜通路部２４ａと、この第１傾斜通路部２４ａの下端から下方へ直線的に延びてから後方へベース部材２１の後側まで水平に延びるＬ字形の第１屈曲通路部２４ｂと、ベース部材２１に形成された縦長長円形の第１通路穴２４ｅとを備えている。第１屈曲通路部２４ｂの下端部は前後方向に延びる断面半円形の半円通路２４ｆに形成されている。この半円通路２４ｆはベース部材２１の後側へ所定長さ延びるようにベース部材２１に一体形成された延長通路部を備えており、この延長通路部に第１始動口ＳＷ１０ｃが配置されている。
【００３５】
第１誘導通路２４の下部（つまり、第１屈曲通路部２４ｂ）に、落下して来た遊技球を後方へ滑らかに方向変換する第１湾曲案内部２６が形成されている。この第１湾曲案内部２６は、第１屈曲通路部２４ｂの内壁から突出させた平行な左右１対の第１縦リブ２６ａ，２６ｂで形成されている。１対の第１縦リブ２６ａ，２６ｂは小さな隙間を空けて配置されている。第１縦リブ２６ａ，２６ｂは鉛直部と水平部とでほぼＬ形に形成されている。第１縦リブ２６ａ，２６ｂの内端には双曲線状の湾曲案内面が形成されている。
【００３６】
左側の第１縦リブ２６ａの鉛直部は右側の第１縦リブ２６ｂの鉛直部よりも上方まで延びている。第１縦リブ２６ａの鉛直部がケース部材２２の前板２２ａから後方へ突出する突出幅は、第１縦リブ２６ｂの鉛直部がケース部材２２から後方へ突出する突出幅よりも僅かに大きい。第１縦リブ２６ａの鉛直部の上半部の内端は、その中心線Ｃ側縁線がケース部材２２の前面板２２ａの後面に一致するように傾斜している。そのため、第１排出口２４ｃから遊技球が排出しにくくなる。尚、１対の第１縦リブ２６ａ，２６ｂの水平部の後端はベース部材２１に対応する位置にあり、１対の第１縦リブ２６ａ，２６ｂの後方には１つの縦リブ２６ｃが設けられている。
【００３７】
第１誘導通路２４の下部の左右の側壁部、つまり第１屈曲通路部２４ｂの鉛直部の左右の側壁部には、遊技球を第１誘導通路２４の外側へ排出可能な１対の第１排出口２４ｃ，２４ｄが形成されている。第１排出口２４ｃ，２４ｄは、アーチの頂部を前方へ向けた横向きアーチ形の開口である。
【００３８】
第１排出口２４ｃ，２４ｄの上端は第１傾斜通路部２４ａの下端近傍に位置し、第１排出口２４ｃ，２４ｄの下端は第１誘導通路２４の下端壁面から遊技球のほぼ直径程度高い位置にある。第１排出口２４ｃ，２４ｄの前端は、ケース部材２２の前面板２２ａの後面から僅かに後方に位置し、後端はベース部材２１で仕切られている。尚、左側の第１排出口２４ｃの上半部に外側から遊技球通過隙間２４ｈをあけて対向する傾斜庇２４ｇがケース部材２２に一体形成されている。遊技球通過隙間２４ｈの前面は前面板２２ａで塞がれている（図１０参照）。
【００３９】
図５、図６、図１０、図１１に示すように、第２誘導通路２５は、導入通路２３から右側へ斜め下方へ延びる第２傾斜通路部２５ａと、この第２傾斜通路部２５ａの下端から下方へ直線的に延びてから後方へベース部材２１の後側まで水平に延びるＬ字形の第２屈曲通路部２５ｂと、ベース部材２１に形成された縦長長円形の第２通路穴２５ｅとを備えている。第２屈曲通路部２５ｂの下端部は前後方向に延びる断面半円形の半円通路２５ｆに形成されている。この半円通路２５ｆはベース部材２１の後側へ所定長さ延びるようにベース部材２１に一体形成された延長通路部を備えており、この延長通路部に第２始動口ＳＷ１０ｄが配置されている。
【００４０】
第２誘導通路２５の下部（つまり、第２屈曲通路部２５ｂ）に、落下して来た遊技球を後方へ滑らかに方向変換する第２湾曲案内部２７が形成されている。この第２湾曲案内部２７は、第２屈曲通路部２５ｂの内壁から突出させた平行な左右１対の第２縦リブ２７ａ，２７ｂで形成されている。１対の第２縦リブ２７ａ，２７ｂは小さな隙間を空けて配置されている。第２縦リブ２７ａ，２７ｂは鉛直部と水平部とでほぼＬ形に形成されている。第２縦リブ２７ａ，２７ｂの内端には双曲線状の湾曲案内面が形成されている。
【００４１】
右側の第２縦リブ２７ａの鉛直部は左側の第２縦リブ２７ｂの鉛直部よりも上方まで延びている。第２縦リブ２７ａの鉛直部がケース部材２２の前板２２ａから後方へ突出する突出幅は、第２縦リブ２７ｂの鉛直部がケース部材２２から後方へ突出する突出幅よりも僅かに大きい。第２縦リブ２７ａの鉛直部の上半部の内端は、その中心線Ｃ側縁線がケース部材２２の前板２２ａの後面に一致するように傾斜している。そのため、第２排出口２５ｃから遊技球が排出しにくくなる。尚、１対の第２縦リブ２７ａ，２７ｂの水平部の後端はベース部材２１に対応する位置にあり、１対の第２縦リブ２７ａ，２７ｂの後方には１枚の縦リブ２７ｃが設けられている。
【００４２】
第２誘導通路２５の下部の左右の側壁部、つまり第２屈曲通路部２５ｂの鉛直部分の左右の側壁部には、遊技球を第２誘導通路２５の外側へ排出可能な１対の第２排出口２５ｃ，２５ｄが形成されている。第２排出口２５ｃ，２５ｄは、アーチの頂部を前方へ向けた横向きアーチ形の開口である。
【００４３】
第２排出口２５ｃ，２５ｄの上端は第２傾斜通路部２５ａの下端近傍に位置し、第２排出口２５ｃ，２５ｄの下端は第２誘導通路２５の下端壁面から遊技球のほぼ直径程度高い位置にある。第２排出口２５ｃ，２５ｄの前端は、ケース部材２２の前面板２２ａの後面から僅かに後方に位置し、後端はベース部材２１で仕切られている。尚、右側の第２排出口２５ｃの上半部に外側から遊技球通過隙間２５ｈをあけて対向する傾斜庇２５ｇがケース部材２２に一体形成されている。遊技球通過隙間２５ｈの前面は前面板２２ａで塞がれている（図１０参照）。
【００４４】
図１０に示すように、第１，第２屈曲通路部２４ｂ，２５ｂの間には、内側の第１，第２排出口２４ｄ，２５ｄから排出された遊技球を下方ヘ落下させる為の排出通路２８が形成されている。この排出通路２８の前面はケース部材２２の前面板２２ａで塞がれ、排出通路２８は左右幅が下方程大きくなる台形である。１対の第１排出口２４ｃ，２４ｄと１対の第２排出口２５ｃ，２５ｄは、水平な左右方向向きの直線上に並ぶ状態に形成されている。
【００４５】
前記振分手段３０は、導入通路２３に導入される複数の遊技球を第１誘導通路２４と第２誘導通路２５とに交互に振り分けるものであるが、振分手段３０については後述する。
【００４６】
この振分装置２０においては、第１，第２排出口２４ｃ，２４ｄ，２５ｃ，２５ｄから排出される遊技球の数を極力少なくするため、第１，第２誘導通路２４，２５に次のような種々の構成も設けられている。
【００４７】
図１１に示すように、第１湾曲案内部２６の前端が第１排出口２４ｃ，２４ｄの前端よりも前方に位置し、第２湾曲案内部２７の前端が第２排出口２５ｃ，２５ｄの前端よりも前方に位置している。それ故、遊技球が第１，第２誘導通路２４，２５から第１，第２排出口２４ｃ，２４ｄ，２５ｃ，２５ｄへ夫々排出されにくくなる。尚、前面板２２ａのうち第１，第２排出口２４ｃ，２５ｃの近傍部位に突起部２４ｉ（図６参照）が後方突出状に設けられている。この突起部２４ｉにより、排出口２４ｃ，２５ｃから排出された遊技球が、遊技領域４ａの障害釘に当たって振分装置２０の方へ跳ね返って排出口２４ｃ，２５ｃから第１，第２誘導通路２４，２５内に戻るのを阻止される。
【００４８】
図１１に示すように、第１湾曲案内部２６の下端（第１縦リブ２６ａ，２６ｂの水平部の上端、これは双曲線状に後方下り傾斜状に緩傾斜している）が第１排出口２４ｃ，２４ｄの下端よりも数ｍｍ下方に位置し、第２湾曲案内部２７の下端（第２縦リブ２７ａ，２７ｂの水平部の上端、これは双曲線状に後方下り傾斜状に緩傾斜している）が第２排出口２５ｃ，２５ｄの下端よりも数ｍｍ下方に位置している。それ故、第１，第２誘導通路２４，２５の下端部から第１，第２排出口２４ｃ，２４ｄ，２５ｃ，２５ｄへ遊技球が夫々排出されにくくなる。
【００４９】
図１０、図１１に示すように、導入通路２３及び第１，第２誘導通路２４，２５を形成する通路形成部材であるベース部材２１とケース部材２２に、遊技球に抵抗を与えて遊技球を減速させる減速手段２９が設けられている。
【００５０】
前記減速手段２９の一部として、導入通路２３の第１の通路内壁（後面の内壁）に、遊技球を導入通路２３の第２の通路内壁（前面の内壁）に衝突させる方向へ案内する傾斜案内部２３ｂであって下方程前方へ移行するように傾斜した傾斜案内部２３ｂを設けた。この傾斜案内部２３ｂは、その下部の水平な折線部２３ｃにおいて鉛直面に対する傾斜が大きくなる折面状の傾斜面になっている。遊技球が傾斜案内部２３ｂに衝突すると、第２の通路内壁に衝突させる方向へ方向変換されるため、減速されて遊技球が第１，第２排出口２４ｃ，２４ｄ，２５ｃ，２５ｄから排出されにくくなる。
【００５１】
図１０に示すように、前記減速手段２９の一部として、第１，第２傾斜通路部２４ａ，２５ａの傾斜上壁部２２ｃ，２２ｄに複数の凸部２９ａ，２９ｂを夫々設けてある。但し、１つの凸部２９ａを設けてもよい。複数の凸部２９ａ，２９ｂは、傾斜上壁部２２ｃ，２２ｄから垂直に突出する複数のリブであって突出幅の異なる前後方向向きの複数のリブからなる。これら複数のリブの先端面は不連続状の折れ面を形成している。
【００５２】
それ故、これら複数の凸部２９ａ，２９ｂの先端に遊技球が衝突すると、衝突箇所に応じた方向へ不規則に方向変換されるため、遊技球は減速され、第１，第２排出口２４ｃ，２４ｄ，２５ｃ，２５ｄから排出されにくくなる。尚、凸部２９ａ，２９ｂはリブに限定されるものではなく、突出高さの異なる複数のボス部や突起で形成してもよい。
【００５３】
次に、振分手段３０について説明する。
図５〜図１１に示すように、振分手段３０は、導入通路２３の直下に配置された振り分け用の回動部材３１と、回動部材３１の後端部に取り付けられた第２磁石３２ｂ（可動磁石３２ｂ）と、第２磁石３２ｂよりも後方においてベース部材２１に取り付けられ、第２磁石３２ｂに対して反発する磁力を発生する第１磁石３２ａ（固定磁石３２ａ）とを備えている。
【００５４】
回動部材３１は、金属の非磁性体（例えば真鍮）製の水平な前後方向向きの軸部材３４を介してベース部材２１とケース部材２２とに回転自在に枢支されている。この軸部材３４の前端部は、ケース部材２２の前面板２２ａの後面に突設されたボス部２２ｂで支持されている。この軸部材３４の後端部は、ベース部材２１の後面に突設された筒部３５（ボス部３５）で支持されている。
【００５５】
回動部材３１は合成樹脂製の一体品であり、この回動部材３１は軸部材３４が貫通する筒部３１ａと、ベース部材２１の前面に接近した薄い半円板３１ｂと、筒部３１ａから半径方向へ延びる３枚の羽根３１ｃ〜３１ｅとを備えている。３枚の羽根３１ｃ〜３１ｅは、筒部３１ａの中心軸と鉛直方向に直交する中羽根３１ｃと、この中羽根３１ｃから左方へ９０度開いた左羽根３１ｄと、中羽根３１ｃから右方へ９０度開いた右羽根３１ｅとからなる。中羽根３１ｃと左羽根３１ｄとの間に遊技球を受容する第１受容部３１ｆが形成され、中羽根３１ｃと右羽根３１ｅとの間に遊技球を受容する第２受容部３１ｇが形成されている。
【００５６】
回動部材３１の中羽根３１ｃの先端部の後方において半円板３１ｂの後面に短円柱状のボス部３１ｈが突設され、このボス部３１ｈの凹部３２ｃ（第２磁石収容凹部３２ｃ）に短円柱状の第２磁石３２ｂが磁界の方向を前後方向向きにして装着され固定されている。導入通路２３に入った遊技球を、第１受容部３１ｆに受容する状態と、第２受容部３１ｇに受容する状態とに切換える為に、回動部材３１は軸部材３４と筒部３１ａを回動中心として設定角度（例えば、約６０〜７０度）左右に回動可能（揺動可能）に形成されている。
【００５７】
ベース部材２１には、第２磁石３２ｂを固定したボス部３１ｈを受容して前記設定角度の揺動を許す大きさの円弧溝３３が形成され、この円弧溝３３を形成する前方開放状の円弧形凸部３３ａ（受容部３３ａ）が後方へ突出するようにベース部材２１に形成されている。
【００５８】
回動部材３１の左右の回動限界位置を決めるストッパ３６ａ，３６ｂが、排出通路２８の上端壁２８ａの両端部で形成されている。右羽根３１ｅを上端壁２８ａの右端３６ｂで係止した状態（右回動限界位置）のとき、導入通路２３から落下した遊技球が回動部材３１の第１受容部３１ｆに入る。左羽根３１ｄを上端壁２８ａの左端３６ａで係止した状態（左回動限界位置）のとき、導入通路２３から落下した遊技球が回動部材３１の第２受容部３１ｇに入る。
【００５９】
図６、図１１に示すように、円弧形凸部３３ａの後面の中央部には後方へ数ｍｍ突出した円形凸部３７が形成され、この円形凸部３７の後端部分に形成した円形の磁石収容凹部３７ａ（磁石収容部３７ａ）に第２磁石３２ｂと同一又はほぼ同一の長さの短円柱状の第１磁石３２ａが磁界の方向を前後方向向きにして装着されている。磁石収容凹部３７ａは、第２磁石収容凹部３２ｃの後方に配置され、回動部材３１の左羽根３１ｄと右羽根３１ｅが水平になる中立位置において、第１磁石３２ａの中心と第２磁石３２ｂの中心が上下方向にずれる（具体的には、第１磁石３２ａの中心が第２磁石３２ｂの中心よりも下方に位置する）ように構成されている。第１，第２磁石３２ａ，３２ｂの極性は例えばＮ極同士（又はＳ極同士）が対向するように設定されている。そのため、円形凸部３７の長さと磁石収容凹部３７ａの深さでもって、第１磁石３２ａと第２磁石３２ｂ間の距離が設定されると共に、高い反発磁力が得られるように構成されている。
【００６０】
円形凹部３７ａを塞ぐ長円形のキャップ部材３８が設けられ、このキャップ部材３８のキャップ部３８ａで円形凸部３７の後端が閉塞されている。キャップ部材３８の下端部に形成された円形嵌合部３８ｂが筒部３５に外嵌され、この円形嵌合部３８ｂにビス３９を貫通させて、そのビス３９を筒部３５に螺合することで、キャップ部材３８がベース部材２１に固定されている。
【００６１】
例えば、第１，第２磁石３２ａ，３２ｂが互いに反発する磁力を発生するため、回動部材３１は、その左羽根３１ｄ又は右羽根３１ｅがストッパ３６ａ，３６ｂで係止された左回動限界位置又は右回動限界位置に停止し、第２受容部３１ｇ又は第１受容部３１ｆが導入通路２３に対向する状態になる。
【００６２】
例えば、回動部材３１が右回動限界位置に位置して第１受容部３１ｆに遊技球が入ると、回動部材３１が左回転して遊技球を下方へ通過させて第１誘導通路２４を介して第１始動口１０ａへ誘導する。このとき、回動部材３１は、ストッパ３６ａに当接して左側への回動が規制されるとともに、第１，第２磁石３２ａ，３２ｂの磁力の反発により左回動限界位置に停止保持され、次に導入通路２３に入った遊技球は第２受容部３１ｇに入り、回動部材３１が右回転して遊技球を下方へ通過させて第２誘導通路２５を介して第２始動口１０ｂへ誘導する。このとき、回動部材３１は、ストッパ３６ｂに当接して右側への回動が規制されるとともに、第１，第２磁石３２ａ，３２ｂの磁力の反発により右回動限界位置に停止保持される。その後上記と同様に繰り返すため、導入通路２３に入った遊技球は、第１，第２誘導通路２４，２５へ交互に誘導され、第１，第２始動口１０ａ，１０ｂに交互に入球することになる。
【００６３】
図９に示すように、ベース部材２１の前面のうちの第１，第２傾斜通路部２２ｃ，２２ｄに対応する部位には、アーチ形状の増厚部２１ｂが形成され、この増厚部２１ｂの下側に回動部材３１の半円板３１が回動する回動用空間が形成され、増厚部２１ｂの外周側にケース部材２２の傾斜上壁部２２ｃ，２２ｄの後端部が上方から係合する係合部２１ｃ，２１ｄが形成されている。この係合部２１ｃ，２１ｄにより、ベース部材２１に対してケース部材２２を位置決めするのが容易になる。
【００６４】
次に、振分装置２０の作用、効果について説明する。
ここで、従来の始動口装置において、遊技球を減速させて排出口から排出される遊技球の数を限りなく少なくする為には、振分装置の第１，第２誘導通路の上下長をある程度長くする必要がある。しかし、振分装置の上下長が長い場合には、振分装置が大型化し、その配置に制約を受け、例えば、センタ役物の下側の遊技領域が小さな遊技機では、その下側遊技領域に振分装置を配置することが困難になる。
【００６５】
本発明の振分装置２０によれば、第１，第２誘導通路２４，２５の下部に、第１，第２誘導通路２４，２５を落下してきた遊技球を後方へ方向変換して第１，第２始動口１０ａ，１０ｂに夫々案内する第１，第２湾曲案内部２６，２７を設けたため、第１，第２誘導通路２４，２５から第１，第２始動口１０ａ，１０ｂへの遊技球の流れが円滑になるから、第１，第２排出口２４ｃ，２４ｄ，２５ｃ，２５ｄから排出される遊技球の数を極力少なくしながら、第１，第２誘導通路２４，２５の長さを短縮して振分装置２０の上下長を短縮できる。
【００６６】
第１，第２湾曲案内部２６，２７が夫々１対の縦リブ２６ａ，２６ｂ，２７ａ，２７ｂで形成されているため、遊技球に接触する縦リブの接触面も僅少で抵抗が小さくなるうえ、これら縦リブ２６ａ，２６ｂ，２７ａ，２７ｂの内端（遊技球に接触する面）が双曲線状に形成されているため、遊技球の流れが非常に円滑になる。しかも、縦リブに埃等が付着しにくいため、長期間に亙って遊技球の流れが円滑になる。
【００６７】
第１，第２湾曲案内部２６，２７の前端が第１，第２排出口２４ｃ，２４ｄ，２５ｃ，２５ｄの前端よりも前方に夫々位置し、第１，第２湾曲案内部２６，２７の下端が第１，第２排出口２４ｃ，２４ｄ，２５ｃ，２５ｄの下端よりも下方に夫々位置するため、第１，第２誘導通路２４，２５から遊技球が第１，第２排出口２４ｃ，２４ｄ，２５ｃ，２５ｄへ排出されにくくなる。
【００６８】
導入通路２３及び第１，第２誘導通路２４，２５を形成する通路形成部材（ベース部材２１とケース部材２２）に、遊技球に抵抗を与えて遊技球を減速させる減速手段２９を設けるため、第１，第２排出口２４ｃ，２４ｄ，２５ｃ，２５ｄよりも上流側において遊技球が減速され、第１，第２排出口２４ｃ，２４ｄ，２５ｃ，２５ｄから排出されにくくなる。
【００６９】
前記減速手段２９の一部として、導入通路２３の第１の通路内壁に、遊技球を導入通路２３の第２の通路内壁に衝突させる方向へ案内する傾斜案内部２３ｂを設けたため、遊技球が傾斜案内部２３ｂで案内されて第２の通路内壁に衝突しやすくなるから、遊技球の減速を図ることができ、第１，第２排出口２４ｃ，２４ｄ，２５ｃ，２５ｄから遊技球が排出されにくくなる。
【００７０】
第１，第２誘導通路２４，２５は夫々導入通路２３から斜め下方へ延びる傾斜通路部２４ａ，２５ａを有し、前記減速手段２９の一部として、傾斜通路部２４ａ，２５ａの傾斜上壁部２２ｃ，２２ｄに、１又は複数の凸部２９ａ，２９ｂを設けたため、遊技球を１又は複数の凸部２９ａ，２９ｂに衝突させることで、遊技球の不規則な方向変換を促進し、遊技球の減速を図り、第１，第２排出口２４ｃ，２４ｄ，２５ｃ，２５ｄから遊技球が排出されにくくなる。
【００７１】
以上のように、遊技球が第１，第２排出口２４ｃ，２４ｄ，２５ｃ，２５ｄから排出されにくくなるように構成したため、第１，第２誘導通路２４，２５の長さとして必要最少限の長さを確保しながら、振分装置２０の小型化を図り、センタ役物１５の下側遊技領域に振分装置２０を配置することができる。その結果、正面視または後面視において、第１，第２誘導通路２４，２５の下端壁面の中心に対して、回動部材３１を枢支する軸部材３４が正三角形（但し，近似的な正三角形を含む）の頂点に位置している。仮に、軸部材３４が上記の位置よりも高い位置に配置されると、第１，第２誘導通路２４，２５の上下長が大きくなり、振分装置２０が大型化する。
【００７２】
排出通路２８は、左右幅が下方程大きくなる台形であるため、排出通路２８の上端の幅を極力小さくして、第１，第２誘導通路２４，２５の上端間の距離を小さくし、振分装置２０の上半部の左右幅を小さくし、振分装置２０の小型化を図ることができる。
【００７３】
また、従来の振分装置においては、可動磁石に対して反発する固定磁石の磁力を適性に調整する場合、材質によって磁力特性が異なる種々の磁石の中から磁石を選択するが、その際、固定磁石の取り付け取外しが面倒である。更に、固定磁石と可動磁石間の距離を変更する場合には、固定磁石の取り付け構造を設計変更する必要がある。
【００７４】
本発明の振分装置２０によれば、ベース部材２１に回動部材３１のボス部３１ｈを受容する円弧溝３３を形成する円弧凸部３３ａが後方突出状に形成され、円弧凸部３３ａの後端部に形成された後方突出状の円形凸部３７の後端部分に固定磁石３２ａを収容可能な磁石収容凹部３７ａを形成したので、固定磁石３２ａの取り付け取外しを簡単且つ容易に行うことができる。
【００７５】
また、固定磁石３２ａと可動磁石３２ｂ間の距離や固定磁石の長さを変更する場合、磁石収容凹部３７ａの深さや円形凸部３７の長さを変更することで固定磁石３２ａと可動磁石３２ｂとの相反発する磁力を適正に調整できるから、磁石の取り付け構造の設計変更の自由度が大きい。
【００７６】
ベース部材２１に固定されて、磁石収容凹部３７ａを塞ぐキャップ部３８ａを有するキャップ部材３８を備え、このキャップ部材３８がベース部材２１に形成された軸部材３４の後端部分を回動自在に支持する筒部３５に固定されるので、筒部３５を有効利用して固定磁石３２をベース部材２１に確実に固定することができる。
【００７７】
回動部材３１の左右の回動限界位置を決めるストッパ３６ａ，３６ｂと固定磁石３２ａと可動磁石３２ｂの反発磁力により、回動部材３１を左右の回動限界位置に確実に停止保持することができる。
【００７８】
回動部材３１を枢支する軸部材３４を金属の非磁性体で構成したため、軸部材３４が固定磁石３２ａと可動磁石３２ｂの磁界に影響を及ぼさないため、回動部材３１の回動（作動）が安定化する。
【００７９】
前記振分装置２０を部分的に変更する例について説明する。
（１）第１，第２排出口２４ｃ，２４ｄ，２５ｃ，２５ｄは、横向きアーチ形の開口ではなく、矩形状の開口に形成してもよい。
（２）第１，第２通路穴２４ｅ，２５ｅは必ずしも縦長長円形に形成する必要はなく、倒立アーチ形の穴に形成してもよい。
【００８０】
（３）前記第１，第２湾曲案内部２６，２７を夫々１対の縦リブ２６ａ，２６ｂ，２７ａ，２７ｂで形成したが、１つの縦リブで構成してもよく、また、縦リブに代えて第１，第２屈曲通路部２４ｂ，２５ｂの下部の壁面自体で第１，第２湾曲案内部を形成してもよい。
【００８１】
（４）振分手段３０の回動部材３１は前記実施例のものに限定されず、例えば回動部材３１の半円板３１ｂは省略可能である。但し、その場合、中羽根３１ｃの先端の後端部に第２磁石３２ｂを固定するものとする。
（５）第１，第２磁石３２ａ，３２ｂの長さを異ならせてもよく、また、実施例の形状の磁石に限定されずに、棒状の磁石等を用いてもよい。
【００８２】
次に、第１の可動役物装置１７について説明する。
図２〜図４、図１２〜図２７に示すように、第１の可動役物装置１７は、センタ役物１５の上部に配置され、可動に設けられた第１可動役物５０（第１役物５０，主動可動役物５０）と、第１可動役物５０を駆動し移動させる役物駆動手段５１と、可動（第１可動役物５０に対して可動）に且つ互いに相対的に移動可能に設けられた中，左，右の３つの第２可動役物５２，５３，５４（第２役物５２，５３，５４）と、役物駆動手段５１が第１可動役物５０を移動させるのに連動して第２可動役物５２，５３，５４を動作させる役物動作手段５５とを備えている。
【００８３】
第１，第２可動役物５０，５２，５３，５４は、画像表示装置１６の画面前側で動作可能に設けられている。第１の可動役物装置１７は、センタ役物１５の上部に固定的に設けられた第１のベース部材５６を有し、このベース部材５６に、第１の可動役物装置１７の主要部が搭載されている。
【００８４】
第１可動役物５０について説明する。
図１２〜図２４に示すように、第１可動役物５０は、役物本体６０と、役物本体６０に対して相対的に移動可能に設けられた左，右の２つのサイド役物６１，６２と、役物本体６０及びサイド役物６１，６２に対して相対的に移動可能に設けられた中，左，右の３つの電飾部材６３，６４，６５とを有する。
【００８５】
役物本体６０は、センタ役物１５の左上部に配置され、塊状の図示形状に形成され、この役物本体６０の前面部に楕円形状の電飾部６０ａが設けられている。役物本体６０は、矢印Ｘで示す盤面と平行な方向であって鉛直方向に対して下方ほど右方へ移行するように３０〜４０度傾斜した方向（以下、Ｘ方向という）へ移動自在に、ガイド機構６６によりガイドされている。
【００８６】
ガイド機構６６は、Ｘ方向に長細い前，後，中の３つのガイド部材６６ａ，６６ｂ，６６ｃを有し、前ガイド部材６６ａが役物本体６０の後面部に固定され、後ガイド部材６６ｂがベース部材５６の前面部に固定され、中ガイド部材６６ｃが前後のガイド部材６６ａ，６６ｂに夫々Ｘ方向へスライド自在に係合している。
【００８７】
左サイド役物６１は羽根状の図示形状に形成され、この左サイド役物６１の前面部に、それと略同形状の電飾部６１ａが設けられている。左サイド役物６１の下端部が、役物本体６０に前後方向の軸心回りに回動自在に連結され、左サイド役物６１の上端部が、役物本体６０の左側においてベース部材５６に形成されたガイド溝５６ａにコロ（図示略）を介して係合して、ベース部材５６にスライド自在に且つ前後方向の軸心回りに回動自在に支持されている。尚、この電飾部６１ａ、及び後で説明する電飾部は、夫々、ＬＥＤ基板に実装された複数のＬＥＤと、これらＬＥＤの前方に配置された合成樹脂製のレンズカバーとを有するものである。
【００８８】
右サイド役物６２は羽根状の図示形状に形成され、この右サイド役物６２の前面部に、それと略同形状の電飾部６２ａが設けられている。右サイド役物６１の左端部が、役物本体６０に形成された長穴６０ｂにコロ（図示略）を介して係合して、役物本体６０にスライド自在に且つ前後方向の軸心回りに回動自在に連結され、右サイド役物６１の右端部が、ベース部材５６の右部に前後方向の軸心回りに回動自在に支持されている。
【００８９】
電飾部材６３，６４，６５は、役物本体６０から出没可能に設けられ、Ｘ方向に沿って長細い図示形状に形成されている。電飾部材６３，６４，６５は、矢印Ｙで示す盤面と平行な方向であってＸ方向と直交する方向（以下、Ｙ方向という）に間隔を空けて並設され、これら電飾部材６３，６４，６５の前面部に、それらと略同形状の３つの電飾部６３ａ，６４ａ，６５ａが夫々設けられている。
【００９０】
役物本体６０には、電飾部材６３，６４，６５に夫々対応する３つの収納部６０ｃ，６０ｄ，６０ｅが形成され、電飾部材６３，６４，６５は、役物本体６０との相対的なＸ方向への移動によって、収納部６０ｃ，６０ｄ，６０ｅに収納された状態と、収納部６０ｃ，６０ｄ，６０ｅから上側へ伸長した状態とになり得るように出没する。
【００９１】
役物駆動手段５１について説明する。
図１２〜図１７に示すように、役物駆動手段５１は、ベース部材５６の右部に取付けられた電動モータ５１ａと、電動モータ５１ａの駆動力を右サイド役物６２に伝達するギヤ機構やカム機構を有する動力伝達機構５１ｂとを有し、右サイド役物６２を回動させて、この右サイド役物６２に可動に連結された役物本体６０を、ガイド機構６６によりガイドされたＸ方向へ移動させる。
【００９２】
この役物駆動手段５１によって、役物本体６０が、Ｘ方向のうち下側の図示Ｘ１方向へ初期位置Ａ０（図１２）→第１進出位置Ａ１（図１３）→第２進出位置Ａ２（図１４）→第３進出位置Ａ３（図１５）へと順次移動し、図示Ｘ２方向へ第３進出位置Ａ３→第２進出位置Ａ２→第１進出位置Ａ１→初期位置Ａ０へと順次移動し、適宜、初期位置Ａ０と第３進出位置Ａ３との間をＸ方向へ任意の動作で移動し得る。役物本体６０は、初期位置Ａ０から第３進出位置Ａ３へ近づくほど、画像表示装置１６の画面前側に大きく張り出し、第３進出位置Ａ３では画像表示装置１６の画面中央付近に位置する。役物本体６０の原点位置（例えば、初期位置Ａ０）を検出する原点ＳＷ５１ｃ（図６３参照）も設けられている。
【００９３】
役物本体６０がＸ方向へ移動すると、役物本体６０に夫々可動に連結されたサイド役物６１，６２が、役物本体６０に対して回動して姿勢を変化させる。役物本体６０が初期位置Ａ０にあるとき、左サイド役物６１は略鉛直姿勢になり、右サイド役物６２は水平に近い姿勢になる。役物本体６０が初期位置Ａ０からＸ１方向へ移動すると、左サイド役物６１は反時計回り方向へ回動し、右サイド役物６２は時計回り方向へ回動し、役物本体６０が第３進出位置Ａ３に位置すると、サイド役物６１，６２は夫々Ｘ方向に対して約４５度傾斜して全体で弓状に羽根を広げた姿勢になる。
【００９４】
第２可動役物５２，５３，５４について説明する。
図１２〜図１７、図１９〜図２１、図２５〜図２７に示すように、第２可動役物５２，５３，５４は、少なくとも一部が第１可動役物５０の電飾部６０ａ，６３ａ，６４ａ，６５ａの前方に重なるように位置し得るように設けられ、Ｘ方向に沿って長細い爪状の図示形状に形成されている。第２可動役物５２，５３，５４は、Ｙ方向に互いに間隔を空けて並設され、これら第２可動役物５２，５３，５４の前面部に、それらと略同形状の３つの電飾部５２ａ，５３ａ，５４ａが夫々設けられている。
【００９５】
役物動作手段５５について説明する。
役物動作手段５５は、前記のように、役物駆動手段５１が第１可動役物５０を移動させるのに連動して第２可動役物５２，５３，５４を動作させるが、役物本体６０が初期位置Ａ０と第１進出位置Ａ１とに亙って移動する際に機能する第１動作手段５５Ａ（図１８、図２１、図２６等参照）と、役物本体６０が第１進出位置Ａ１と第２進出位置Ａ２とに亙って移動する際に機能する第２動作手段５５Ｂ（図２２〜図２４、図２６、図２７等参照）と、役物本体６０が第２進出位置Ａ２と第３進出位置Ａ３とに亙って移動する際に機能する第３動作手段５５Ｃ（図２２〜図２４、図２６、図２７等参照）とを有する。
【００９６】
役物本体６０が初期位置Ａ０→第１進出位置Ａ１→第２進出位置Ａ２→第３進出位置Ａ３へ移動する際、第１，第２，第３動作手段５５Ａ，５５Ｂ，５５Ｃが次のように機能する。
【００９７】
先ず、第１動作手段５５Ａが、役物本体６０が初期位置Ａ０から第１進出位置Ａ１へ移動する際、第２可動役物５２，５３，５４をＸ１方向へ第１位置Ｂ１（図１２）から第２位置Ｂ２（図１３）へ、第２可動役物５２，５３，５４の姿勢及び第２可動役物５２，５３，５４の間の間隔を保持して並行的に、且つ役物本体６０及び電飾部材６３，６４，６５と一体的に移動させる。
【００９８】
ここで、役物本体６０の前方に第２可動役物５２，５３，５４の下半部が位置して、役物本体６０は第２可動役物５２，５３，５４により部分的に覆われた状態で前方へ臨み、また、役物本体６０の収納部６０ｃ，６０ｄ，６０ｅに電飾部材６３，６４，６５が完全に収納されている。
【００９９】
次に、第２動作手段５５Ｂが、第１動作手段５５Ａにより第２可動役物５２，５３，５４を第２位置Ｂ２へ移動させた後、役物本体６０が第１進出位置Ａ１から第２進出位置Ａ２へ移動する際、役物本体６０との一体的な移動を停止させ、第２可動役物５２，５３，５４のＸ１方向の移動を停止させた状態で、第２可動役物５２，５３，５４の姿勢を保持して、第２可動役物５２，５３，５４の間の間隔（中，左の第２可動役物５２，５３の間の間隔、及び、中，右の第２可動役物５２，５４の間の間隔）がＹ方向に拡大するように、第２可動役物５２，５３，５４を相対的に移動させる。
【０１００】
ここで、役物本体６０が第１進出位置Ａ１から第２進出位置Ａ２へ移動する際、第２可動役物５２，５３，５４が第２位置Ｂ２でＸ１方向の移動を停止することで、電飾部材６３，６４，６５のＸ１方向の移動も停止すると、電飾部材６３，６４，６５が、第２可動役物５２，５３，５４の後側において、電飾部材６３，６４，６５の大部分を遊技者が直接視認できない状況下で、役物本体６０に対してその収納部６０ｃ，６０ｄ，６０ｅから上側へ伸長していく。
【０１０１】
最後に、第３動作手段５５Ｃが、第２動作手段５５Ｂにより第２可動役物５２，５３，５４の間の間隔を拡大させた後、役物本体６０が第２進出位置Ａ２から第３進出位置Ａ３へ移動する際、同様に役物本体６０との一体的な移動を停止させ、第２可動役物５２，５３，５４のＸ１方向の移動を停止させた状態で、第２可動役物５２，５３，５４が第１位置Ｂ１から第２位置Ｂ２へ向かう方向（Ｘ１方向）と異なる前方へ、第２可動役物５２，５３，５４を移動させる。
【０１０２】
この場合、第３動作手段５５Ｃが、第２可動役物５２，５３，５４の下端（先端）が前方へ移動し、且つそれら下端間の間隔（中，左の第２可動役物５２，５３の下端間の間隔、及び、中，右の第２可動役物５２，５４の下端間の間隔）がＹ方向に拡大するように、第２可動役物５２，５３，５４を前側へ２０度〜３０度傾動させる。
【０１０３】
ここで、第２可動役物５２，５３，５４が、それら下端間の間隔を拡大させるように傾動することにより、電飾部材６３，６４，６５の大部分の前方から退いて、その結果、電飾部材６３，６４，６５の大部分を遊技者が直接視認できるようになる。
【０１０４】
一方、役物本体６０が第３進出位置Ａ３→第２進出位置Ａ２→第１進出位置Ａ１→初期位置Ａ０へ移動する際、第１，第２，第３動作手段５５Ａ，５５Ｂ，５５Ｃが、第２可動役物５２、５３，５４（電飾部材６３，６４，６５）を前記動作と逆に動作させるように機能する。
【０１０５】
尚、第１，第２可動役物５０，５２，５３，５４が演出役物に相当し、役物本体６０とサイド役物６１，６２と電飾部材６３，６４，６５と第２可動役物５２，５３，５４が複数の可動部材に相当し、電飾部６０ａ，６１ａ，６２ａ，６３ａ，６４ａ，６５ａが電飾手段に相当する。役物駆動手段５１、役物動作手段５５が、複数の可動部材を作動させる可動役物作動手段に相当し、演出役物が所定の収縮状態（図１２）から異なる複数方向へ拡張した拡張状態（図１４又は図１５）に変化可能に、複数の可動部材を作動させる。
【０１０６】
第２可動役物５２，５３，５４が特定可動部材に相当し、可動役物作動手段は、演出役物（第１，第２可動役物５０，５２，５３，５４）により構成される表現物（尚、表現物とは、第１，第２可動役物５０，５２，５３，５４で表現される物体であり、本実施例では、例えば、手を表現した表現物であり、その他、顔等の種々の物体を表示させたものでもよい)の表現状態を、収縮状態と拡張状態とに亙って変更するが、演出役物（第１，第２可動役物５０，５２，５３，５４）は、収縮状態と拡張状態とで同一の表現物を表現し、可動役物作動手段は、特定可動部材（第２可動役物５２，５３，５４）の間隔を変化させたり傾動させたりするが、特定可動部材の表現態様を維持するように、特定可動部材を移動させ、役物本体６０から電飾部材６３，６４，６５を伸縮させて、第１可動役物５０（役物本体６０、電飾部材６３，６４，６５）の表現態様を変化させるように、第１可動役物５０を移動させる。
【０１０７】
また、可動役物作動手段は、電飾手段からの光により第２可動役物５２，５３，５４を（後方から）電飾可能に、且つ遊技者が視認可能な電飾手段の可視発光領域を拡大可能に、第１可動役物５０と第２可動役物５２，５３，５４とを相対的に移動させ、その際、第１可動役物５０において、電飾部材６３，６４，６５が役物本体６０から伸長して可視発光領域を拡大可能に、役物本体６０と電飾部材６３，６４，６５とを更に相対的に移動させるように構成している。
【０１０８】
次に、図１８〜図２７に基づいて、第１，第２，第３動作手段５５Ａ，５５Ｂ，５５Ｃについて、また、第１可動役物５０，第２可動役物５２，５３，５４等について、適宜具体的に説明する。
【０１０９】
先ず、第２可動役物５２，５３，５４には、それらの後側に中，左，右の３つの第２可動役物ベース５２ｂ，５３ｂ，５４ｂが夫々付設され、これら第２可動役物ベース５２ｂ，５３ｂ，５４ｂは、役物本体６０にＸ１方向に向けて当接（係合）可能になっている。
【０１１０】
ベース部材５６には、第２可動役物ベース５２ｂ，５３ｂ，５４ｂが夫々コロ５２ｃ，５３ｃ，５４ｃを介してスライド自在に係合する中，左，右の３つのガイド溝５２ｄ，５３ｄ，５４ｄが形成され、これらガイド溝５２ｄ，５３ｄ，５４ｄは、夫々Ｘ方向へ延びるストレート溝部５２ｄ１，５３ｄ１，５４ｄ１を有する。
【０１１１】
ここで、第１動作手段５５Ａは、役物本体６０が初期位置Ａ０と第１進出位置Ａ１とに亙って移動する際、第２可動役物ベース５２ｂ，５３ｂ，５４ｂのコロ５２ｃ，５３ｃ，５４ｃをベース部材５６のストレート溝部５２ｄ１，５３ｄ１，５４ｄ１に係合させ、第２可動役物ベース５２ｂ，５３ｂ，５４ｂを、第２可動役物ベース５２ｂ，５３ｂ，５４ｂの自重により役物本体６０に当接させ、役物本体６０の収納部６０ｃ，６０ｄ，６０ｅに電飾部材６３，６４，６５を収納させた状態にする。
【０１１２】
つまり、役物本体６０が初期位置Ａ０から第１進出位置Ａ１へ移動する際は、第２可動役物５２，５３，５４を、その自重により第１位置Ｂ１から第２位置Ｂ２へ並行的に移動させ、役物本体６０が第１進出位置Ａ１から初期位置Ａ０へ移動する際は、第２可動役物５２，５３，５４を、役物本体６０によって持ち上げるように第２位置Ｂ２から第１位置Ｂ１へ並行的に移動させる。
【０１１３】
次に、第１可動役物５０において、中電飾部材６３はＸ方向へ延び、左電飾部材６４はＸ方向上側ほど中電飾部材６３からＹ方向左側へ離隔するようにＸ方向に対し少し傾斜した方向へ延び、右電飾部材６５はＸ方向上側ほど中電飾部材６３からＹ方向右側へ離隔するようにＸ方向に対し少し傾斜した方向へ延び、電飾部材６３，６４，６５は、それら長さ方向へ夫々役物本体６０に対して移動自在にガイド支持されている。
【０１１４】
左ガイド溝５３ｄは、その左ストレート溝部５３ｄ１のＸ方向下端からＹ方向左側へ曲がる左屈曲溝部５３ｄ２を有し、右ガイド溝５４ｄは、その右ストレート溝部５４ｄ１のＸ方向下端からＹ方向右側へ曲がる右屈曲溝部５４ｄ２を有する。
【０１１５】
第２可動役物５２，５３，５４には、後方へ膨出する中，左，右の３つの取付部５２ｅ，５３ｅ，５４ｅが夫々設けられ、中取付部５２ｅが中第２可動役物ベース５２ｂにＹ方向の中支軸５２ｆを介して回動自在に連結され、左取付部５３ｅが左第２可動役物ベース５３ｂにＹ方向左側ほど後方へ位置するように傾斜した左支軸５３ｆを介して連結され、右取付部５４ｅが右第２可動役物ベース５４ｂにＹ方向右側ほど後方へ位置するように傾斜した右支軸５４ｆを介して連結されている。
【０１１６】
第２可動役物５２，５３，５４は、支軸５２ｆ，５３ｆ，５４ｆに外装された中，左，右の３つの捩じりバネ５２ｇ，５３ｇ，５４ｇにより夫々、第２可動役物５２，５３，５４の下端を後側へ移動させる方向へ付勢され、これらバネ５２ｇ，５３ｇ，５４ｇにより、通常、第２可動役物５２，５３，５４は、盤面と平行な初期姿勢に保持される。
【０１１７】
取付部５２ｅ，５３ｅ，５４ｅには、中，左，右の３つの操作突出部５２ｈ，５３ｈ，５４ｈが夫々固定的に設けられ、これら操作突出部５２ｈ，５３ｈ，５４ｈは、夫々、第２可動役物ベース５２ｂ，５３ｂ，５４ｂよりも後方へ突出している。
【０１１８】
電飾部材６３，６４，６５には、それらの後側に中，左，右の３つの電飾連結部材６３ｂ，６４ｂ，６５ｂが夫々固定的に付設され、これら電飾連結部材６３ｂ，６４ｂ，６５ｂには、左，中，右の３つの長孔６３ｃ，６４ｃ，６５ｃが形成され、これら長孔６３ｃ，６４ｃ，６５ｃに操作突出部５２ｈ，５３ｈ，５４ｈが夫々挿通している。電飾連結部材６３ｂ，６４ｂ，６５ｂの長孔６３ｃ，６４ｃ，６５ｃの上端部には、操作突出部５２ｈ，５３ｈ，５４ｈに夫々Ｘ１方向に向けて係合可能な左，中，右の３つの係合部６３ｄ，６４ｄ，６５ｄが設けられている。
【０１１９】
ここで、第２動作手段５５Ｂは、役物本体６０が第１進出位置Ａ１と第２進出位置Ａ２とに亙って移動する際、第２可動役物５２，５３，５４の操作突出部５２ｈ，５３ｈ，５４ｈを電飾部材６３，６４，６５の係合部６３ｄ，６４ｄ，６５ｄに夫々係合させて、第２可動役物５２，５３，５４と共に、電飾部材６３，６４，６５のＸ方向への移動を停止させて、役物本体６０に対して電飾部材６３，６４，６５を伸縮させる。
【０１２０】
つまり、役物本体６０に対して傾斜した電飾部材６４，６５を伸縮させることにより、電飾部材６３，６４のＸ方向上端間のＹ方向の間隔、及び電飾部材６３，６５のＸ方向上端間のＹ方向の間隔を変化させ、その結果、第２可動役物５２，５３，５４の間のＹ方向の間隔を変化させる。ここで、第２可動役物ベース５２ｂ，５４ｂのコロ５３ｃ，５４ｃをベース部材５６の屈曲溝部５３ｄ２，５４ｄ２に係合させる。
【０１２１】
また、第３動作手段５５Ｃは、役物本体６０が第２進出位置Ａ２と第３進出位置Ａ３とに亙って移動する際、第２可動役物５２，５３，５４の操作突出部５２ｈ，５３ｈ，５４ｈを電飾部材６３，６４，６５の係合部６３ｄ，６４ｄ，６５ｄに係合させて、役物本体６０に対して最大限伸長させた電飾部材６３，６４，６５を役物本体６０と一体的に移動させる。
【０１２２】
つまり、電飾部材６３，６４，６５の係合部６３ｄ，６４ｄ，６５ｄにより、第２可動役物５２，５３，５４の操作突出部５２ｈ，５３ｈ，５４ｈを操作させて、第２可動役物５２，５３，５４を支軸５２ｆ，５３ｆ，５４ｆ回りに回動させ傾動させる。
【０１２３】
尚、役物本体６０が初期位置Ａ０から第１進出位置Ａ１へ移動する際に、第２可動役物５２，５３，５４が、その自重により第２位置Ｂ２へ移動しない不具合が生じた場合、役物本体６０が第２進出位置Ａ２へ移動するまでの間に、役物本体６０に対して最大限伸長させた電飾部材６３，６４，６５の係合部６３ｄ，６４ｄ，６５ｄを、第２可動役物５２，５３，５４の操作突出部５２ｈ，５３ｈ，５４ｈに係合さて、第２可動役物５２，５３，５４を、強制的に第２進出位置Ａ２へ移動させることができる。
【０１２４】
第１の可動役物装置１７の作用・効果について説明する。
ここで、従来の可動役物装置において、第１，第２可動役物が動作しても、その第１，第２可動役物を含む演出役物が拡張しないものでは、また、第１，第２可動役物が動作すると、その第１，第２可動役物を含む演出役物が拡張するが、その拡張方向が一方向だけであるものでは、演出役物の斬新な動作を実現することができず、例えば、演出役物の動作を立体的に表現することが難しい。
【０１２５】
また、従来の可動役物装置において、第１，第２可動役物が動作しても、これら可動役物の位置関係は変化しないものでは、或いは、第１，第２可動役物の位置関係を変化させ得るものでも、これら可動役物の位置関係を電飾に関して考慮せずに単に変化可能にするだけでは、可動役物に電飾機器を装備しても、遊技者が視認可能な電飾機器の可視発光領域が変化するような斬新な電飾を実現することができない。
【０１２６】
本発明の第１の可動役物装置１７によれば、役物駆動手段５１と役物動作手段５５（可動役物作動手段）は、第１，第２可動役物５０，５２，５３，５４（演出役物）が図１２に示す収縮状態から異なる複数方向へ拡張した図１４又は図１５に示す拡張状態に変化可能に、役物本体６０、サイド役物６１，６２、電飾部材６３，６４，６５、第２可動役物５２、５３，５４（複数の可動部材）を作動させるので、第１，第２可動役物５０，５２，５３，５４が前側へ移動して大きくなったように、第１，第２可動役物５０，５２，５３，５４の動作を立体的に表現できる。
【０１２７】
しかも、役物動作手段５５において、第１動作手段５５Ａが、第２可動役物５２，５３，５４を第１位置Ｂ１から第２位置Ｂ２へ並行的に移動させ、その後、第２動作手段５５Ｂが、第２可動役物５２，５３，５４の間の間隔が拡大するように、第２可動役物５２，５３，５４を相対的に移動させ、更に、その後、第３動作手段５５Ｃが、第２可動役物５２，５３，５４を前方へ移動させ、この場合、第２可動役物５２，５３，５４の下端が前方へ移動し且つそれら下端間の間隔が拡大するように、第２可動役物５２，５３，５４を傾動させるので、第２可動役物５２，５３，５４の動作を強調して、第１，第２可動役物５０，５２，５３，５４を拡張することができる。
【０１２８】
また、役物駆動手段５１と役物動作手段５５（可動役物作動手段）は、第１，第２可動役物５０，５２，５３，５４を拡張すると共に、第１可動役物５０の電飾部６０ａ，６１ａ，６２ａ，６３ａ，６４ａ，６５ａからの光により第２可動役物５２，５３，５４を電飾可能に、且つ遊技者が視認可能な電飾部６０ａ，６１ａ，６２ａ，６３ａ，６４ａ，６５ａの可視発光領域を拡大可能に、第１，第２可動役物５０，５２，５３，５４を相対的に移動させるように構成したので、電飾効果を高めることができる。
【０１２９】
しかも、役物駆動手段５１と役物動作手段５５（可動役物作動手段）は、役物本体６０と電飾部材６３，６４，６５とを更に相対的に移動させ、役物本体６０から電飾部材６３，６４，６５を伸長出現させて、電飾部６０ａ，６１ａ，６２ａ，６３ａ，６４ａ，６５ａの可視発光領域を確実に拡大することができる。
【０１３０】
以上のように、第１，第２可動役物５０，５２，５３，５４を拡張し、その際、電飾部６０ａ，６１ａ，６２ａ，６３ａ，６４ａ，６５ａからの光により第２可動役物５２，５３，５４を電飾可能に、且つ遊技者が視認可能な電飾部６０ａ，６１ａ，６２ａ，６３ａ，６４ａ，６５ａの可視発光領域を拡大することができるので、第１，第２可動役物５０，５２，５３，５４の斬新な動作並びに電飾を実現し、演出効果を高めることができる。
【０１３１】
役物動作手段５５は、役物駆動手段５１が役物本体６０（主動可動役物）を移動させるのに連動して第２可動役物５２，５３，５４を作動させ、更には、サイド役物６１，６２、電飾部材６３，６４，６５を動作させるので、つまり、役物本体６０に、サイド役物６１，６２、電飾部材６３，６４，６５、第２可動役物５２，５３，５４を従動させて、第１，第２可動役物５０，５２，５３，５４の拡張、第２可動役物５２，５３，５４の間の間隔の拡大、第２可動役物５２，５３，５４の傾動、電飾部６０ａ，６１ａ，６２ａ，６３ａ，６４ａ，６５ａの可視発光領域の拡大を円滑に確実に行わせることができる。
【０１３２】
また、役物動作手段５５は、役物駆動手段５１が役物本体６０（主動可動役物）を移動させるのに連動して第２可動役物５２，５３，５４を作動させるので、第２可動役物５２，５３，５４を作動させる為の電動モータや原点ＳＷを別途設ける必要がなく、電動モータや原点ＳＷの配線等を含む構造を簡単化でき、製造コスト的にも有利になる。
【０１３３】
次に、第２の可動役物装置１８について説明する。
図２８〜図４０に示すように、第２の可動役物装置１８は、センタ役物１５の右部に配置され、回動可能に設けられた回動役物７０と、回動役物７０を駆動し回動させる回動駆動手段７１と、回動役物７０に反転可能（回動可能）に設けられた反転役物７２（可動役物７２，演出役物７２）と、反転役物７２を駆動し反転（回動）させる反転駆動手段７３（回動駆動手段７３）と、反転役物７２に可動に設けられた７つの可動役物７４，７５，７６，７７と、可動役物７４，７５，７６，７７を作動させる役物作動手段７８とを備えている。
【０１３４】
尚、可動役物７４，７５，７６，７７と役物作動手段７８について、対称構造のものには同一符号を付して説明する。回動役物７０、反転役物７２、可動役物７４，７５，７６，７７は、画像表示装置１６の画面前側で動作可能に設けられている。第２の可動役物装置１８は、センタ役物１５の右下部に固定的に設けられた第２のベース部材７９を有し、このベース部材７９に、第２の可動役物装置１８の主要部が搭載されている。
【０１３５】
回動役物７０、回動駆動手段７１について説明する。
図２８〜図３３に示すように、回動役物７０は、回動役物本体７０ａ（ベース側部材７０ａ）を有し、この回動役物本体７０ａが、ベース部材７９に前後方向の回動軸心ａ回りに回動自在に支持され、更に、回動役物本体７０ａの回動軸心ａから離隔した部位が、ベース部材７９に形成された回動軸心ａを中心とする円弧溝７９ａにコロ（図示略）を介して回動自在にガイド支持されている。
【０１３６】
回動駆動手段７１は、ベース部材７９に取付けられた電動モータ７１ａと、電動モータ７１ａの駆動力を回動役物本体７０ａに伝達するギヤ機構やリンク機構を含む動力伝達機構７１ｂとを有し、回動役物７０を反転役物７２及び可動役物７４，７５，７６，７７と共に、略鉛直姿勢にする第１回動位置Ｃ１（図２８）と、略水平姿勢にする第２回動位置Ｃ２（図２９、図３０、図３１）とに亙って回動させる。回動役物７０の原点位置（例えば、第１回動位置Ｃ１）を検出する原点ＳＷ７１ｃ（図６３参照）も設けられている。
【０１３７】
反転役物７２、反転駆動手段７３について説明する。
図２８〜図３４に示すように、反転役物７２は、反転役物本体７２ａ（取付ベース７２ａ）を有し、この反転役物本体７２ａが、回動役物本体７０ａに盤面と平行な反転軸心ｂ回りに回動自在に支持され、反転役物本体７２ａの一側面側にサブ画像表示装置９９が搭載され、反転役物本体７２ａの他側面側（サブ画像表示装置９９と反対側）に可動役物７４，７５，７６，７７が搭載されている。サブ画像表示装置９９には演出画像が表示される。
【０１３８】
ここで、回動役物７０が第１回動位置Ｃ１にある状態で、反転役物７２の反転軸心ｂが略鉛直になり、回動役物７０が第２回動位置Ｃ２にある状態で、反転役物７２の反転軸心ｂが略水平になる。
【０１３９】
反転駆動手段７３は、回動役物本体７０ａに取付けられた電動モータ７３ａ（駆動部７３ａ）と、電動モータ７３ａの駆動力を反転役物本体７２ａに伝達するギヤ機構を含む動力伝達機構７３ｂとを有し、サブ画像表示装置９９が前方へ向いて現れる（つまり、可動役物７４，７５，７６，７７が後方へ向いて反転役物本体７２ａの後側に隠れる）第１反転位置Ｄ１（前向位置Ｄ１）（図２８、図２９）と、可動役物７４，７５，７６，７７が前方へ向いて現れる（つまり、サブ画像表示装置９９が後方へ向いて反転役物本体７２ａの後側に隠れる）第２反転位置Ｄ２（後向位置Ｄ２）（図３０、図３１）とに亙って、反転役物７２を可動役物７４，７５，７６，７７と共に回動させる。反転役物７２の原点位置（例えば、第１反転位置Ｄ１）を検出する原点ＳＷ７３ｃ（図６３参照）も設けられている。
【０１４０】
反転役物７２が、第１反転位置Ｄ１又は第２反転位置Ｄ２にある状態で、反転軸心ｂ方向の長さが、矢印Ｍで示す盤面と平行な方向であって反転軸心ｂと直交する方向（以下、Ｍ方向という）の長さよりも長い図示形状に形成され、回動役物７０が第２回動位置Ｃ２にある状態では、画像表示装置１６の下部の画面前側に、その下部の画面の大部分を覆うように位置する。
【０１４１】
ここで、反転役物７２が第１反転位置Ｄ１にある状態で、回動駆動手段７１が回動役物７０を第１回動位置Ｃ１と第２回動位置Ｃ２とに亙って回動させ、回動役物７０が第２回動位置Ｃ２にある状態で、反転駆動手段７３が反転役物７２を第１反転位置Ｄ１と第２反転位置Ｄ２とに亙って反転させ得るようにしている。
【０１４２】
可動役物７４，７５，７６，７７、役物作動手段７８について説明する。
図３０〜図４０に示すように、可動役物７４，７５，７６，７７は、図３１等に示す展開形状を７分割した図示形状に形成され、これら可動役物７４，７５，７６，７７の前面部に、それらと同等形状の７つの電飾部７４ａ，７５ａ，７６ａ，７７ａが夫々設けられている。
【０１４３】
可動役物７４，７５，７６，７７は、１つの主動可動役物７４と、主動可動役物７４に従動する６つの従動可動役物７５，７６，７７（２つの第１従動可動役物７５、２つの第２従動可動役物７６、２つの第３従動可動役物７７）とを含み、これら可動役物７４，７５，７６，７７において、主動可動役物７４が中央に位置し、２つの第１従動可動役物７５、２つの第２従動可動役物７６、２つの第３従動可動役物７７が、夫々、主動可動役物７４の略中心を通るＭ方向の軸線に対して対称に構成されている。
【０１４４】
役物作動手段７８は、可動役物７４，７５，７６，７７を部分的に重ねた状態に折り畳んだ収納位置Ｅ１（図３０）と、可動役物７４，７５，７６，７７（主に電飾部７４ａ，７５ａ，７６ａ，７７ａ）が連続的に繋がる伸長状態（前記の展開形状）に展開した展開位置Ｅ２（図３１）とに亙って、可動役物７４，７５，７６，７７を作動させる。尚、可動役物７４，７５，７６，７７が展開位置Ｅ２にあるとき、遊技盤４に固定的に設けられた後述の盤ランプ１０８ｂの一部を含む電飾部７７ｃ（図４参照）にも可動役物７７が連続的に繋がって、その電飾部７７ｃも含めて更に拡張した前記の展開形状が形成される。
【０１４５】
ここで、電飾部７４ａ，７５ａ，７６ａ，７７ａを発光させる場合、可動役物７４，７５，７６，７７の動作に同期して種々の発光態様とすることができ、その発光態様として、例えば、可動役物７４，７５，７６，７７が収納位置Ｅ１から展開位置Ｅ２へ切り換わる際、最初から明るく発光させる態様、徐々に明るくなるように発光させる態様、或いは、可動役物７４，７５，７６，７７が展開位置Ｅ２へ切り換わるまでは発光させないで、展開位置Ｅ２へ切り換わった後、明るく発光させる態様等を採用可能である。
【０１４６】
ここで、回動役物７０が第２回動位置Ｃ２にあり、反転役物７２が第２反転位置Ｄ２にある状態で、役物作動手段７８が可動役物７４，７５，７６，７７を収納位置Ｅ１と展開位置Ｅ２とに亙って作動させ得るようにしている。尚、可動役物７４，７５，７６，７７の原点位置（例えば、収納位置Ｅ１）を検出する原点ＳＷ７８ａ（図６３参照）も設けられている。
【０１４７】
役物作動手段７８は、主動可動役物７４をＭ方向へ駆動し移動させる役物駆動手段８０と、役物駆動手段８０が主動可動役物７４を移動させる動力により従動可動役物７５，７６，７７を動作させる２つの役物連動手段８１とを有する。
【０１４８】
２つの役物連動手段８１は、主動可動役物７４の略中心を通るＭ方向の軸線に対して対称に構成され、且つ対称に作動して、その一方の役物連動手段８１が、それと同側の一方の第１，第２，第３従動可動役物７５，７６，７７（３つの可動役物７５，７６，７７）を動作させ、他方の役物連動手段８１が、それと同側の他方の第１，第２，第３従動可動役物７５，７６，７７（３つの可動役物７５，７６，７７）を動作させる。
【０１４９】
次に、可動役物７４，７５，７６，７７、役物作動手段７８について具体的に説明する。尚、対称構造の従動可動役物７５，７６，７７、役物連動手段８１については、その一方について説明し、他方については説明を省略する。尚、適宜、回動役物７０が第２回動位置Ｃ２、反転役物７２が第２反転位置Ｄ２、可動役物７４，７５，７６，７７が展開位置Ｅ２にある状態の前後・上下を、前後・上下として説明する。
【０１５０】
先ず、主動可動役物７４よりも少し前方に第１従動可動役物７５が位置し、第１従動可動役物７５よりも少し後方に第２従動可動役物７６が位置し、第２従動可動役物７６よりも少し後方に第３従動可動役物７７が位置している。
【０１５１】
主動可動役物７４は、逆三角形状に形成され、その後面側に固定的に設けられた役物連結板７４ｂを有する。この役物連結板７４ｂは、反転役物本体７２ａの内部に配設されて、反転役物本体７２ａにＭ方向（上下方向）へ移動自在にガイド支持され、そのために、役物連結板７４ｂに形成された２つのＭ方向に長い長穴７４ｃが、反転役物本体７２ａに設けられた２つのガイド軸７４ｄにスライド自在に係合している。
【０１５２】
役物駆動手段８０は、反転役物本体７２ａに取付けられた電動モータ８０ａと、電動モータ８０ａの出力軸に固定された出力ギヤ８０ｂと、反転役物本体７２ａに装着され出力ギヤ８０ｂに噛合する従動ギヤ８０ｃとを有し、これら電動モータ８０ａとギヤ８０ｂ，８０ｃは反転役物本体７２ａの内部に配設されている。更に、役物駆動手段８０は、従動ギヤ８０ｃに固定的に設けられた係合ピン８０ｄと、役物連結板７４ｂに形成されて係合ピン８０ｄが係合する係合凹部８０ｅとを有し、この係合ピン８０ｄと係合凹部８０ｅにより、従動ギヤ８０ｃの回動を主動可動役物７４のＭ方向への移動に変換する。
【０１５３】
第１従動可動役物７５は、円弧形状に形成され、その基端側部分（下端側部分）に軸７５ｂが後方突出状に固定的に設けられ、この軸７５ｂを介して主動可動役物７４に回動自在に連結されている。
【０１５４】
役物連動手段８１は、軸７５ｂの後端部に一端部が固定された回動部材８５を有し、この回動部材８５の他端部に後方突出状のピン８５ａが設けられ、このピン８５ａが反転役物本体７２ａに形成された左右方向に長い長孔８５ｂに摺動自在に係合している。
【０１５５】
つまり、役物連動手段８１は、主動可動役物７４がＭ方向へ移動すると、その主動可動役物７４と共に第１従動可動役物７５（軸７５ｂ）をＭ方向へ移動させつつ、軸７５ｂに固定された回動部材８５と、そのピン８５ａが係合する長孔８５ｂにより、回動部材８５及び軸７５ｂと共に、第１従動可動役物７５を軸７５ｂ回りに回動させる。
【０１５６】
また、役物連動手段８１は、第２，第３従動可動役物７６，７７を動作させる為の補助アーム９０を有し、その補助アーム９０は、Ｌ形ケース状に形成されて、第２従動可動役物７６よりも少し後方に位置して、その基端部（下端部）に固定的に設けられた前後方向の軸９０ａを介して反転役物本体７２ａに回動自在に支持されている。
【０１５７】
第２，第３従動可動役物７６，７７は、少しだけ下方に反った湾曲形状に形成され、第２従動可動役物７６は、その中央部分に固定的に設けられた前後方向の軸７６ｂを介して補助アーム９０の一端側部分に回動自在に連結され、第３従動可動役物７７は、その一端部に固定的に設けられた前後方向の軸７７ｂを介して補助アーム９０の一端部に回動自在に連結されている。
【０１５８】
役物連動手段８１は、反転役物本体７２ａの内部に設けられて、補助アーム９０を回動させる為の回動機構９１及び第１，第２ギヤ部材９２，９３と、補助アーム９０の内部に設けられて、補助アーム９０が回動することにより第２，第３従動可動役物７６，７７を回動させる為の第３，第４ギヤ部材９４，９５及び腕部材９６とを有する。
【０１５９】
先ず、第１ギヤ部材９２は、その中央部が反転役物本体７２ａに前後方向の軸９２ａを介して回動自在に支持されている。回動機構９１は、主動可動役物７４と一体の役物連結板７４ｂに形成された左右方向に長い長孔９１ａと、この長孔９１ａに係合可能に第１ギヤ部材９２に設けられたピン９１ｂとを有し、主動可動役物７４のＭ方向への移動を第１ギヤ部材９２の回動に変換する。
【０１６０】
第２ギヤ部材９３は、補助アーム９０の軸９０ａに固定的に設けられ、第１，第２ギヤ部材９２，９３のギヤ同士が噛合している。つまり、第１ギヤ部材９２が回動すると、第２ギヤ部材９３と共に補助アーム９０が回動する。第３ギヤ部材９４は、第２従動可動役物７６の軸７６ｂに固定的に設けられ、第４ギヤ部材９５は、第３従動可動役物７７の軸７７ｂに固定的に設けられ、第３，第４ギヤ部材９４，９５のギヤ同士が噛合している。
【０１６１】
腕部材９６は、その一端部（上端部）が第３ギヤ部材９４に前後方向の軸心回りに回動自在に連結され、その他端部（下端部）に後方突出状のピン９６ａが形成され、このピン９６ａが反転役物本体７２ａに形成された湾曲溝９６ｂにスライド自在に係合している。補助アーム９０が回動すると、腕部材９６のピン９６ａが湾曲溝９６ｂをスライドすることにより、腕部材９６がその長さ方向へ補助アーム９０に対して移動して、第３ギヤ部材９４と共に第２従動可動役物７６を回動させ、更に、第４ギヤ部材９５と共に第３従動可動役物７７を回動させる。
【０１６２】
このように、役物連動手段８１は、役物駆動手段８０が主動可動役物７４を移動させる動力により、第１，第２，第３従動可動役物７５，７６，７７を、夫々異なる軸心回りに回動させて、図３０に示す収納位置Ｅ１と図３１等に示す展開位置Ｅ２（図３１）とに亙って、可動役物７４，７５，７６，７７を作動させることができる。
【０１６３】
尚、回動役物７０が第１回動位置Ｃ１にあるときに、反転役物７２が第１反転位置Ｄ１にあり、可動役物７４，７５，７６，７７が収納位置Ｅ１（収縮状態）にあるときの、反転役物７２（可動役物７４，７５，７６，７７）で表現する表現物と、回動役物７０が第２回動位置Ｃ２にあるときに、反転役物７２が第２反転位置Ｄ２にあり、可動役物７４，７５，７６，７７が展開位置Ｅ２（拡張状態）にあるときの、反転役物７２（可動役物７４，７５，７６，７７）で表現する表現物が異なる。尚、第１の可動役物装置１７においても、第１，第２可動役物５０，５２，５３，５４が収縮状態にあるときに表現する表現物（例えば、握り拳のような表現物）と、拡張状態にあるときに表現する表現物（例えば、掌のような表現物）とを異ならせてもよい。
【０１６４】
次に、反転役物７２のサブ画像表示装置９９について詳しく説明する。
尚、このサブ画像表示装置９９についての説明では、図２８に示すように、回動役物７０が第１回動位置Ｃ１にあり、反転役物７２が第１反転位置Ｄ１にある状態（サブ画像表示装置９９の画面を縦向きにして前方に向けた姿勢）における前後、左右、上下を前後、左右、上下として説明する。
【０１６５】
図４１〜図４４に示すように、サブ画像表示装置９９は、反転役物本体７２ａに固定されたサブ画像表示器１００であって演出用の画像を表示可能なサブ画像表示器１００と、このサブ画像表示器１００の前面に装着された枠形基板１０１と、サブ画像表示器１００の画面の前面側を覆う透明板１０２と、この透明板１０２の前面に配設された2層構造のマイクロレンズ２次元アレイ１０３と、このマイクロレンズ２次元アレイ１０３の前面側及び上記の諸部材の外周側を覆う装飾カバー１０４等を備えている。
【０１６６】
前記サブ画像表示器１００は、反転役物本体７２ａに固定される表示器ケース１００ａと、この表示器ケース１００ａに付設されたカラーの液晶表示器１００ｂと、この表示器ケース１００ａの後面に固定された基板ベース１００ｃと、この基板ベース１００ｃの後面に取付けられた表示器基板１００ｄとを備えている。
【０１６７】
基板ベース１００ｃの下端部には、反転役物本体７２ａに形成された第１係合部１１１ａ（図４８等参照）に係合可能な第１爪部１００ｅが下方へ突出状に形成され、表示器ケース１００ａの上端付近の後面側には、反転役物本体７２ａの第２係合部１１２ａ（図４８等参照）に係合可能な弾性変形可能な第２爪部１００ｆが後方へ突出状に形成されている。第１爪部１００ｅを第１係合部１１１ａに係合させてから第２爪部１００ｆを第２係合部１１２ａに係合させることで、表示器ケース１００ａを介してサブ画像表示装置９９が反転役物本体７２ａに着脱可能に取付けられている。尚、液晶表示器１００ｂの画面は表示器ケース１００ａの前端から所定距離（例えば５ｍｍ程度）後退した位置にある。
【０１６８】
前記枠形基板１０１は、サブ画像表示器１００の画面の外周側を囲む枠形に形成され、前面に複数のＬＥＤ（図示略）が装着され、これらのＬＥＤを含む電飾部で発生させたカラー光をマイクロレンズ２次元アレイ１０３とその外周側に照射可能に構成してある。透明板１０２は、サブ画像表示器１００の縦長矩形状の画面の前面にほぼ対応する透明平板部１０２ａであって枠形基板１０１から前方へ所定距離（例えば６ｍｍ程度）離隔した位置にある透明平板部１０２ａと、その上下両端側の延長部１０２ｂに形成された複数の固定ボス部１０２ｃを有する。透明板１０２と枠形基板１０１は複数のビスで一体的に固定されている。
【０１６９】
上記の透明板１０２の前面には前記画面よりも上下方向に長い２層構造のマイクロレンズ２次元アレイ１０３が配置されている。装飾カバー１０４は、画面カバー１０５と、カバー本体１０６とを有し、画面カバー１０５は、正面視長円形で前方へ凸に湾曲したほぼ部分円筒状の透明な透明カバー部１０５ａと、この透明カバー部１０５ａの外周側に一体形成された枠状のレンズ保持部１０５ｃとを有する。尚、画面カバー１０５は薄紫色に着色した透明合成樹脂材料で構成されている。
【０１７０】
レンズ保持部１０５ｃに後方からマイクロレンズ２次元アレイ１０３を嵌め込んで、マイクロレンズ２次元アレイ１０３の外周部を保持し、表示器ケース１００ａの複数の固定ボス部１００ｆと、透明板１０２の複数の固定ボス部１０２ｃと、画面カバー１０５の複数の固定ボス部１０５ｂと、カバー本体１０６の複数の固定ボス部１０６ａとをビスで固定することで、マイクロレンズ２次元アレイ１０３をレンズ保持部１０５ｃと透明平板部１０２ａの間に挟持した状態で、装飾カバー１０６と画面カバー１０５と表示器ケース１００ａとが複数のビスで一体的に固定される。尚、透明板１０２の前面の上端近傍部と下端近傍部には、マイクロレンズ２次元アレイ１０３の上端部と下端部に当接する軟質合成樹脂製の薄板状の緩衝材１０２ｄが付設されている。
【０１７１】
装飾部材１０４のカバー本体１０６は、透明カバー部１０５ａを人面に見立てた場合に、頭髪及び髭と見立てることのできる黒色のカバー部材で構成され、上端部分には３つの鋭角状の突出部１０６ｂが形成され、人面の両側部分には鋭角状の側部突出部１０６ｃが形成されている。
【０１７２】
このサブ画像表示装置９９は、サブ画像表示器１００で表示する画像を、マイクロレンズ２次元アレイ１０３によりマイクロレンズ２次元アレイ１０３よりも前方の空間に浮上した状態のフローティング画像に変換して表示するように構成されている。
【０１７３】
前記２層構造のマイクロレンズ２次元アレイ１０３は、図４３に示すように球状のマイクロレンズを縦横方向に２次元アレイ状に形成したマイクロレンズ２次元アレイ１０３ａを２枚当接状に重ね合せて一体的に接合したものである。図４４は２層構造のマイクロレンズ２次元アレイ１０３の断面図である。図４５は２層構造のマイクロレンズ２次元アレイ１０３の１組のマイクロレンズ１０３ｂ，１０３ｃと等価な光学系を示す。
【０１７４】
既述のようにサブ画像表示器１００の画面からマイクロレンズ２次元アレイ１０３の後面までは、所定距離（例えば１０ｍｍ以上の距離）離隔しており、図４５に示す光学系において、サブ画像表示器１００で表示された画像１０７ａは、１つのマイクロレンズ１０３ｂにより倒立画像１０７ｂとして１対のマイクロレンズ１０３ｂ，１０３ｃの間に表示され、この倒立画像１０７ｂがマイクロレンズ１０３ｃにより、マイクロレンズ１０３ｃの前方の空間に浮上した状態のフローティング画像１０７ｃに変換される。
【０１７５】
それ故、サブ画像表示器１００で表示された画像は、２層構造のマイクロレンズ２次元アレイ１０３により、そのマイクロレンズ２次元アレイ１０３の前方の空間に浮上したフローティング画像１０７ｃに変換されて表示される。
【０１７６】
ここで、遊技者が前記フローティング画像１０７ｃを見る際に、眼の焦点をフローティング画像１０７ｃに合せた場合に特に明瞭なフローティング画像１０７ｃを見ることができる。しかし、遊技者が画像表示器の画面を見る際には、眼の焦点を画面に合せる傾向があるため、フローティング画像１０７ｃに気づかなかったり、フローティング画像１０７ｃに気づくのに時間がかかる場合がある。
【０１７７】
そこで、図２８に示すように、マイクロレンズ２次元アレイ１０３の前側又は前側近傍に位置させた状態で、前記フローティング画像１０７ｃを見る際に眼の焦点をフローティング画像１０７ｃに合せやすくする目視用基準部材１０８ａを有する装飾部材１０８を設けてある。この装飾部材１０８は、例えばコートの襟部を模した部材であり、この装飾部材１０８の先端の鋭角状の角部で目視用基準部材１０８ａが構成されている。この装飾部材１０８は、前記反転役物７２の回転周面の外側近傍空間に沿う湾曲形状に形成されて回転周面の外側近傍空間に配置され、回動役物７０に固定されている。
【０１７８】
前記装飾部材１０８は、サブ画像表示装置９９の画面を前面に向けた際に、目視用基準部材１０８ａがサブ画像表示装置９９のマイクロレンズ２次元アレイ１０３の前側又は前側近傍に目視用基準部１０８ａが位置するように配設されている。更に、サブ画像表示装置９９と装飾部材１０８とを相対移動（相対回転）させる相対移動手段が設けられ、この相対移動手段は前記反転駆動手段７３で構成されている。
【０１７９】
サブ画像表示装置９９の画面に特定の演出画像を表示させる際に、相対移動手段（反転駆動手段７３）によるサブ画像表示装置９９と装飾部材１０８との相対移動（相対回転）を介して、反転役物本体７２ａを回転させてサブ画像表示装置９９の画面を前面に向け、サブ画像表示装置９９のマイクロレンズ２次元アレイ１０３の前側又は前側近傍に目視用基準部材１０８ａを位置させるように相対移動手段（反転駆動手段７３）を制御する。
【０１８０】
次に、反転役物本体７２ａにサブ画像表示装置９９を着脱可能に取付ける取付構造１１０について詳しく説明する。尚、前記同様、図２８に示すように、回動役物７０が第１回動位置Ｃ１にあり、反転役物７２が第１反転位置Ｄ１にある状態（サブ画像表示装置９９の画面を縦向きにして前方に向けた姿勢）における前後、左右、上下を前後、左右、上下として説明する。
【０１８１】
図４６〜図５０に示すように、この取付構造１１０は、サブ画像表示装置９９に設けられた第１爪部１００ｅ、及び反転役物本体７２ａに設けられた第１係合部１１１ａを有し、第１爪部１００ｅを第１係合部１１１ａに上方（所定の第１方向）から下方へ移動させて係合させることが可能な第１係合手段１１１と、サブ画像表示装置９９に設けられた第２爪部１００ｆ、及び反転役物本体７２ａに設けられた第２係合部１１２ａを有し、第１係合手段１１１により第１爪部１００ｅを第１係合部１１１ａに係合させた状態で、第２爪部１００ｆを第２係合部１１２ａに前方（第１方向と異なる所定の第２方向）から後方へ移動させて係合させることが可能な第２係合手段１１２と、第２係合手段１１２により第２爪部１００ｆを第２係合部１１２ａに係合させた状態で、サブ画像表示装置９９と反転役物本体７２ａとを第２爪部１００ｆ及び第２係合部１１２ａの近傍において固定する１つのビス１１３（締結手段１１３）とを備えている。
【０１８２】
第１係合手段１１１について具体的に説明する。図４９に示すように、第１爪部１００ｅは、サブ画像表示装置９９の合成樹脂製の基板ベース１００ｃの下端部に、下方突出状に形成されている。この第１爪部１００ｅは、後面視にて矩形形状に形成されて、後面側に鉛直平滑な爪後面部１１４ａを有し、前面側に下方へ向かって後方へ傾斜する爪前面部１１４ｂを有し、断面にて先細り状に形成されている。
【０１８３】
第１係合部１１１ａは、合成樹脂製の反転役物本体７２ａの上端近傍部に、前方膨出状に、且つ第１爪部１００ｅを上側から挿入可能に形成されている。この第１係合部１１１ａは、係合後壁部１１１ｂ、係合前壁部１１１ｃ、左右の係合側壁部１１１ｄ、係合底壁部１１１ｅを有し、係合前壁部１１１ｃは、上方へ向かって前方へ傾斜するように形成されている。
【０１８４】
図４９（２）に示すように、第１爪部１００ｅが第１係合部１１１ａに係合して、第１爪部１００ｅの下端部が係合底壁部１１１ｅに当接し、爪後面部１１４ａが係合後壁部１１１ｂに当接した状態では、爪前面部１１４ｂと係合前壁部１１１ｃとの間に隙間が生じ、故に、第１爪部１００ｅを第１係合部１１１ａに係合させた状態で、その第１爪部１００ｅを略中心にしてサブ画像表示装置９９を前後方向へ傾動させることが可能になる。
【０１８５】
依って、第２爪部１００ｆを第２係合部１１２ａに係合させていない状態で、第１爪部１００ｅを第１係合部１１１ａに係合させること、及び第１爪部１００ｅを第１係合部１１１ａから係合解除させることが可能になり、また、第１爪部１００ｅを第１係合部１１１ａに係合させ状態で、第２爪部１００ｆを第２係合部１１２ａに係合させること、及び第２係合部１１２ａから係合解除させることが可能になる。
【０１８６】
第２係合手段１１２について具体的に説明する。図５０に示すように、第２爪部１００ｆは、サブ画像表示装置９９の合成樹脂製の表示器ケース１００ａの上端付近の後面部に、後方突出状に形成されている。この第２爪部１００ｆは、底面視にて矩形形状に形成されて、上下方向へ弾性変形可能に構成され、第２爪部１００ｆの後端部（先端部）に、第２係合部１１２ａに係止解除可能に係止される係止爪１１５が設けられている。この係止爪１１５は、その上面側に後方へ向かって下方へ傾斜するテーパ部１１５ａを有し、そのテーパ部１１５ａの前端から段落ち状に形成された係止部１１５ｂを有する。
【０１８７】
第２係合部１１２ａは、反転役物本体７２ａの上部前面側に固定的に設けられた本体上部材１１６により形成されている。この本体上部材１１６は、前壁部１１６ａ、上壁部１１６ｂを有し、前壁部１１６ａに、第１爪部１００ｅを挿入可能な挿入孔１１６ｃが形成され、その挿入孔１１６ｃの上側近傍部分に第２係合部１１２ａが形成され、前壁部１１６ａの後側、上壁部１１６ｂの下側には、第１爪部１００ｅの収容空間１１６ｄが設けられている。
【０１８８】
第１爪部１００ｅを第１係合部１１１ａに係合させた状態で、その第１係合部１１１ａにより位置決めされた第１爪部１００ｅを略中心にしてサブ画像表示装置９９を後方へ傾動させて、第２爪部１００ｆを第２係合部１１２ａに係合させる場合、後方移動する第２爪部１００ｆの係止爪１１５が挿入孔１１６ｃを通過する際、その係止爪１１５のテーパ部１１５ａが挿入孔１１６ｃの上縁部に接触し下方へ押動されて、第２爪部１００ｆが下方へ弾性変形し、係止爪１１５が挿入孔１１６ｃを通過し終わると、第２爪部１００ｆが復帰して、係止爪１１５の係止部１１５ｂが第２係合部１１２ａに係止され得るようになって、第２爪部１００ｆが第２係合部１１２ａに係合する。
【０１８９】
前記のように、第２係合部１１２ａが、反転役物本体７２ａの外部へ臨む外周よりも内部側に設けられ、故に、第２爪部１００ｆの係止爪１１５を第２係合部１１２ａから係止解除させることは難しい。そこで、反転役物本体７２ａにおいて、本体上部材１１６の上壁部１１６ｂに、係止爪１１５を下方へ押動し第２爪部１００ｆを下方へ弾性変形させて、係止爪１１５を第２係合部１１２ａから係止解除させるように操作するドライバー等の工具（図示略）を上側から挿入する為の工具挿入孔１１６ｅが形成されている。
【０１９０】
尚、第１係合手段１１１は、反転役物本体７２ａに設けられた第１爪部、及びサブ画像表示装置９９に設けられた第１係合部を有し、この第１爪部を第１係合部所定の第１方向係合させることが可能なものとしもよい。また、第２係合手段１１２は、反転役物本体７２ａに設けられた第２爪部、及びサブ画像表示装置９９に設けられた第２係合部を有し、第１係合手段１１１により第１爪部を第１係合部に係合させた状態で、第２爪部を第２係合部に第１方向と異なる所定の第２方向から係合させることが可能なものとしてもよい。また、ビス１１３については省略してもよい。
【０１９１】
次に、第２の可動役物装置１８（遊技機機器）を駆動制御する為の配線について詳しく説明する。
この第２の可動役物装置１８を電気的に結線する為の配線構造の一部として、第１，第２，第３フレキシブルケーブル１３１，１３２，１３３が設けられている。図５１に示すように、ベース部材７９に中継基板１２０が取付けられ、反転役物７２の反転役物本体７２ａに第１基板１２１が取付けられ、反転役物７２に搭載されたサブ画像表示装置９９に第２基板１２２（表示器基板１００ｄ）が取付けられ、回動役物７０の回動役物本体７０ａに第３基板１２３が取付けられている。
【０１９２】
図５１〜図５３に示すように、中継基板１２０には、ランプ制御基板２０５（駆動制御手段２０５）側から延びる多数の導線１３０が接続されている。中継基板１２０と第１基板１２１とが第１フレキシブルケーブル１３１により接続され、この第１フレキシブルケーブル１３１に、反転役物７２に搭載された可動役物７４，７５，７６，７７（電動モータ８０ａ）、及びその電飾部７４ａ，７５ａ，７６ａ，７７ａを駆動制御する為の複数（２０本）の導線１４１が配線されている。
【０１９３】
中継基板１２０と第２基板１２２とが第２フレキシブルケーブル１３２により接続され、この第２フレキシブルケーブル１３２に、サブ画像表示装置９９のサブ画像表示器１００、及びサブ画像表示装置９９の電飾部（図示略）を駆動制御する為の複数（１４本）の導線１４２が配線されている。中継基板１２０と第３基板１２３とが第３フレキシブルケーブル１３３により接続され、この第３フレキシブルケーブル１３３に、反転役物７０（電動モータ７３ａ）を駆動制御する為の複数（１０本）の導線１４３が配線されている。
【０１９４】
尚、フレキシブルケーブルは、フレキシブルフラットケーブル、若しくはハーネスとも言い、平行に並べた複数の導線（信号線）を内包する可撓性の有る配線部材である。尚、図５１では、多数の導線１３０、第１，第２，第３フレキシブルケーブル１３１，１３２，１３３を夫々１本の点線で示し、基板１２０，１２１間の接続、基板１２０，１２２間の接続、基板１２０，１２３間の接続を示している。
【０１９５】
第１フレキシブルケーブル１３１の複数の導線１４１は、ランプ制御基板２０５から可動役物７４，７５，７６，７７を駆動する為の第１信号（駆動電流）を伝送する第１信号線１４１αを含み、第２フレキシブルケーブル１３２の複数の導線１４２は、ランプ制御基板２０５からサブ画像表示器１００に演出画像を表示せる為の第２信号（ビデオ信号）を伝送する第２信号線１４２αを含み、第３フレキシブルケーブル１３３の複数の導線１４３は、ランプ制御基板２０５から反転役物７０を駆動する為の第３信号（駆動電流）を伝送する第３信号線１４３αを含む。
【０１９６】
第１，第２，第３フレキシブルケーブル１３１，１３２，１３３は全て同幅に形成され、第１，第２フレキシブルケーブル１３１，１３２は、それらケーブル１３１，１３２の幅方向両端同士を合わせて重ねた第１のケーブル重層部１３５を有する。また、第１，第２，第３フレキシブルケーブル１３１，１３２，１３３は、第１，第２フレキシブルケーブル１３１，１３２の間に第３フレキシブルケーブル１３３を位置させて、それらケーブル１３１，１３２，１３３の幅方向両端同士を合わせて重ねた且つ第１のケーブル重層部１３５の一部を含む第２のケーブル重層部１３６を有する。
【０１９７】
第１フレキシブルケーブル１３１には、その全幅に亙って複数の導線１４１を配設する第１配線領域１４１Ａが設けられ、第２フレキシブルケーブル１３２には、その幅方向一部に複数の導線１４２を配設する第２配線領域１４２Ａが設けられ、その第２配線領域１４２Ａの幅方向片側において導線を配線しない所定幅（後述の複数の信号線１４２のピッチ（0.5mm）よりも大きな幅）の第２余白領域１４２Ｂが設けられ、第３フレキシブルケーブル１３３には、その全幅に亙って複数の導線１４３を配設する第３配線領域１４３Ａが設けられている。第１，第３フレキシブルケーブル１３１，１３３には、第２余白領域１４２Ｂのような余白領域は設けられていない。
【０１９８】
つまり、第１配線領域１４１Ａをその幅方向中心Ｗo1がケーブル１３１の幅方向中心Ｃo1と一致するように設け、第２配線領域１４２Ａをその幅方向中心Ｗo2がケーブル１３２の幅方向中心Ｃo2からずれるように設けて、第１のケーブル重層部１３５（第２のケーブル重層部１３６）において、第１配線領域１４１Ａと第２配線領域１４２Ａとを、第１配線領域１４１Ａの幅方向中心Ｗo1と第２配線領域１４２Ａの幅方向中心Ｗo2とがケーブル１３１，１３２の幅方向にずれるように設けるとともに、第１，第２信号線１４１α，１４２αが対応する位置にならないように幅方向に相互に離隔する位置に配線されている。
【０１９９】
また、第３配線領域１４３Ａをその幅方向中心Ｗo3がケーブル１３３の幅方向中心Ｃo3と一致するように設けて、第２のケーブル重層部１３６において、第１配線領域１４１Ａと第３配線領域１４３Ａとを、第１配線領域１４１Ａの幅方向中心Ｗo1と第３配線領域１４３Ａの幅方向中心Ｗo3とがケーブル１３１，１３３の幅方向にずれるように設けるとともに、第１，第３信号線１４１α，１４３αが対応する位置にならないように幅方向に相互に離隔する位置に配線されている。
【０２００】
第１，第２，第３フレキシブルケーブル１３１，１３２，１３３の構造について具体的に説明する。第１，第２，第３フレキシブルケーブル１３１，１３２，１３３の各々の幅は１１mmであり、第１フレキシブルケーブル１３１に、第１配線領域１４１Ａにおける２０本の信号線１４１が所定間隔おきに0.5mmピッチで配線され、第２フレキシブルケーブル１３２に、第２配線領域１４２Ａにおける１４本の信号線１４２が前記同所定間隔おきに0.5mmピッチで配線されている。
【０２０１】
また、第３フレキシブルケーブル１３３に、第３配線領域１４３Ａにおける１０本の信号線１４３が前記所定間隔の約２倍の間隔おきに１mm間隔ピッチで配線されている。ここで、第２フレキシブルケーブル１３２の幅の約7/11部分に第２配線領域１４２Ａが設けられ、残り4/11部分に第２余白領域１４２Ｂが設けられ、その第２余白領域１４２Ｂが、第２のケーブル重層部１３６以外の第１のケーブル重層部１３５において、第１フレキシブルケーブル１３１の数本（例えば、５〜６本）の導線１４１と対向し、第２のケーブル重層部１３６において、第３フレキシブルケーブル１３３の数本（３〜４本）の導線１４３と対向する。
【０２０２】
図５４は、第１フレキシブルケーブル１３１の２０本の導線１４１の配列を示す回路図、第２フレキシブルケーブル１３２の１４本の導線１４２の配列を示す回路図、第３フレキシブルケーブル１３３の１０本の導線１４３の配列を示す回路図である。
【０２０３】
図５４では、第１フレキシブルケーブル１３１の２０本の導線１４１が、導線１-a，１-b，１-c・・・，１-tで示され、この順番で第１フレキシブルケーブル１３１の一端側から配列されている。また、第２フレキシブルケーブル１３２の１４本の導線１４２が、導線２-a，２-b，２-c・・・，２-nで示され、この順番で第２フレキシブルケーブル１３２の一端側から配列されている。また、第３フレキシブルケーブル１３３の１０本の導線１４３が、導線３-a，３-b，３-c・・・，３-nで示され、この順番で第３フレキシブルケーブル１３３の一端側から配列されている。
【０２０４】
尚、第１のケーブル重層部１３５において、第１フレキシブルケーブル１３１の前記一端と第２フレキシブルケーブル１３２の前記一端とが重ねられ、第２のケーブル重層部１３６において、更に、第３フレキシブルケーブル１３３の前記一端が重ねられる。
【０２０５】
第１フレキシブルケーブル１３１において、２本の導線１-a，１-bが、第１信号線１４１αであって、電動モータ８０ａに電力を供給する電力供給線に設定され、８本の導線１-m〜１-tが、電動モータ８０ａを制御するモータ制御信号を伝送する制御信号線に設定され、２本の導線１-i，１-jが、原点ＳＷ７８ａからの信号をランプ制御基板２０５に伝送するＳＷ信号線に設定されている。また、１本の導線１-cが、電飾部７４ａ，７５ａ，７６ａ，７７ａ（複数のＬＥＤ）に電力を供給する電力供給線に設定され、２本の導線１-e，１-gが、電飾部７４ａ，７５ａ，７６ａ，７７ａを制御する電飾制御信号を伝送する制御信号線に設定されている。５本の導線１-d，１-f，１-h，１-k，１-lが、グランド（接地）線に設定されている。
【０２０６】
第２フレキシブルケーブル１３２において、２本の導線2-a，2-bが、サブ画像表示器１００のバックライトに電力を供給する電力供給線に設定され、２本の導線2-k，2-lが、第２信号線１４２αであって、サブ画像表示器１００にビデオ信号を供給する制御信号線に設定されている。また、１本の導線２-cが、画像表示装置９９の電飾部（図示略、複数のＬＥＤ）に電力を供給する電力供給線に設定され、２本の導線２-f，２-hが、画像表示装置９９の電飾部を制御する電飾制御信号を伝送する制御信号線に設定されている。７本の導線２-d，２-e，２-g，２-i，２-j，２-m，２-nが、グランド線に設定されている。
【０２０７】
第３フレキシブルケーブル１３３において、１本の導線３-aが、第３信号線１４３αであって、電動モータ７３ａに電力を供給する電力供給線に設定され、４本の導線３-g〜３-jが、電動モータ７３ａを制御するモータ制御信号を伝送する制御信号線に設定され、２本の導線３-c，３-dが、原点ＳＷ７３ｃからの信号をランプ制御基板２０５に伝送するＳＷ信号線に設定されている。３本の導線３-b，３-e，３-fが、グランド線に設定されている。
【０２０８】
尚、第２フレキシブルケーブル１３２を次のように変更してもよい。図５５に示すように、第２フレキシブルケーブル１３２Ａには、その幅方向一部に複数の導線１４２を配設する第２配線領域１４２Ａ-1が設けられ、その第２配線領域１４２Ａ-1の幅方向両側において導線を配線しない所定幅の第２余白領域１４２Ｂ-1が設けられている。この場合、第２配線領域１４２Ａ-1をその幅方向中心Ｗo2がケーブル１３２Ａの幅方向中心Ｃo2と一致するように設けてもよい。
【０２０９】
また、第１，第２フレキシブルケーブル１３１，１３２を次のように変更してもよい。図５６に示すように、第１フレキシブルケーブル１３１Ｂには、その幅方向一部に複数の導線１４１を配設する第１配線領域１４１Ａ-2が設けられ、その第１配線領域１４１Ａ-2の幅方向片側において導線を配線しない所定幅の第１余白領域１４１Ｂ-2が設けられている。つまり、第１配線領域１４１Ａ-2をその幅方向中心Ｗo1がケーブル１３１Ｂの幅方向中心Ｃo1からずれるように設けてある。
【０２１０】
一方、第２フレキシブルケーブル１３２Ｂには、その幅方向一部に複数の導線１４２を配設する第２配線領域１４２Ａ-2が設けられ、その第２配線領域１４２Ａ-2の幅方向片側において導線を配線しない所定幅の第２余白領域１４２Ｂ-2が設けられている。つまり、第２配線領域１４２Ａ-2をその幅方向中心Ｗo2がケーブル１３２Ｂの幅方向中心Ｃo2からずれるように設けてある。第１のケーブル重層部１３５（第２のケーブル重層部１３６）において、第１，第２フレキシブルケーブル１３１Ｂ，１３２Ｂは、それらの第１，第２余白領域１４１Ｂ-2，１４２Ｂ-2が幅方向反対側に位置するように重ねられる。
【０２１１】
次に、反転役物７２を反転させる反転駆動手段７３に関して詳しく説明する。
図５７〜図６１に示すように、反転駆動手段７３の電動モータ７３ａは、反転軸心ｂに平行で且つ反転役物７２側に向く姿勢で回動役物本体７０ａに取付けられている。回動役物本体７０ａは、反転軸心ｂの方向に間隔を空けて配置された第１，第２，第３取付部材１５０ａ，１５０ｂ，１５０ｃを有し、そのうちの反転役物７２から最も離隔した第１取付部材１５０ａに電動モータ７３ａが取付けられている。尚、図５７、図５８では第２取付部材１５０ｂを省略し、図５９では第１取付部材１５０ａを省略している。
【０２１２】
反転駆動手段７３の動力伝達機構７３ｂは、電動モータ７３ａにより反転軸心ｂを中心に回動されて、反転役物７２に駆動力を伝達する軸部材１５１と、電動モータ７３ａから軸部材１５１に駆動力を伝達するギヤ機構１５２とを有し、ギヤ機構１５２は、電動モータ７３ａの出力軸に取付けられた駆動ギヤ１５２ａと、軸部材１５１に取付けられて駆動ギヤ１５２ａに噛合する従動ギヤ１５２ｂとを有する。
【０２１３】
軸部材１５１は、第１，第２，第３取付部材１５０ａ，１５０ｂ，１５０ｃを貫通するように配設され、軸部材１５１の基端近傍部が第１軸受け部１５３ａ（第１枢支部１５３ａ）を介して第１取付部材１５０ａに回動自在に支持され、軸部材１５１の長さ方向中央近傍部が第２軸受け部１５３ｂ（第２枢支部１５３ｂ）を介して第３取付部材１５０ｃに回動自在に支持され、軸部材１５１の先端側部分に反転役物７２の反転役物本体７２ａが固定的に連結されている。
【０２１４】
軸部材１５１のうち、第２軸受け部１５３ｂよりも基端側且つ第２軸受け部１５３ｂの近傍部から基端までの基端側軸部１５１ａに、その外周一部を切欠いた状態に、反転軸心ｂと平行な帯状の平滑面１５１ｂが形成されている。従動ギヤ１５２ｂは、第２軸受け部１５３ｂの近傍において、基端側軸部１５１ａをその断面形状と同形状の中心孔部に挿通して回り止めされた状態で、ビス（図示略）により平滑面１５１ｂに固定されている。
【０２１５】
さて、反転役物７２を常時矢印αで示す反転軸心ｂ回りの一方の回動方向であって、具体的には、反転役物７２を第１反転位置Ｄ１から第２反転位置Ｄ２へ回動させる回動方向（以下、α方向という）へ付勢して、反転駆動手段７３に予圧をかけて、反転駆動手段７３（ギヤ機構１５２）のバックラッシュ（作動クリアランス）を除去（吸収）する弾性部材（トーションバネ）であるコイルバネ１５５（付勢手段１５５）が設けられている。
【０２１６】
前記のように、軸部材１５１を回動役物本体７０ａに回動自在に支持する第１，第２軸受け部１５３ａ，１５３ｂが、反転軸心ｂの方向に間隔を空けて設けられているが、コイルバネ１５５は、軸部材１５１（基端側軸部１５１ａ）のうちの第１，第２軸受け部１５３ａ，１５３ｂ間の軸部分に外装され、このコイルバネ１５５の一端部が軸部材１５１に係止され他端部が回動役物本体７０ａに係止されている。
【０２１７】
具体的に、コイルバネ１５５の一端部に円輪状の固定部が形成され、そこにビス１５６を通して基端側軸部１５１ａの平滑面１５１ｂに締結し、その平滑面１５１ｂと、ビス１５６の頭部又は別途取付けられた座金との間に挟持状に固定されている。このように一端部が軸部材１５１に固定されたコイルバネ１５５は、適度に圧縮された状態で、その他端部が常時第２取付部材１５０ｂに当接するように配設されて、第２取付部材１５０ｂに形成された係止部１５０ｄにα方向と反対方向から係止されている。
【０２１８】
コイルバネ１５５は、巻数を約２０（但し、約２０と限定するものではなく、例えば、約１０〜３０の何れかとしてもよい）として、捩じりバネ定数が通常の捩じりバネの数分の１から10数分の１程度の捩じりバネ定数になるものを採用している。
【０２１９】
尚、反転役物７２が第２反転位置Ｄ２から第１反転位置Ｄ１へ回動する際に、コイルバネ１５５が拡径側に捩れてエネルギーを蓄えるようにしているが、逆に、反転役物７２が第１反転位置Ｄ１から第２反転位置Ｄ２へ回動する際に、コイルバネ１５５が拡径側に捩れてエネルギーを蓄えるようにしてもよい。或いは、反転役物７２が第１，第２反転位置Ｄ１，Ｄ２の一方から他方へ回動する際に、コイルバネ１５５が縮径側に捩れてエネルギーを蓄えるようにしてもよい。
【０２２０】
第２の可動役物装置１８の作用・効果について説明する。
ここで、従来の可動役物装置において、２つの可動役物（第１，第２可動役物）しか設けられていないもの、また、第１，第２可動役物が相対的に移動するが、その動作が非常に単純であるものでは、可動役物の斬新な動作を実現することができない。
【０２２１】
本発明の可動役物装置１８によれば、役物作動手段７８は、７つの可動役物７４，７５，７６，７７を部分的に重ねた状態に折り畳んだ収納位置Ｅ１と、７つの可動役物７４，７５，７６，７７が連続的に繋がる伸長状態に展開した展開位置Ｅ２とに亙って、７つの可動役物７４，７５，７６，７７を作動させるので、７つの可動役物７４，７５，７６，７７の斬新な動作を実現して、演出効果を高めることができる。
【０２２２】
また、反転役物７２が第１反転位置Ｄ１にある状態で、７つの可動役物７４，７５，７６，７７が、収納位置Ｅ１では、反転役物本体７２ａの後側に隠れるように、コンパクトに邪魔にならないように折り畳むことができ、依って、反転役物７２が第１反転位置Ｄ１から第２反転位置Ｄ２に切り換わり、７つの可動役物７４，７５，７６，７７が突如現れることで、更に、その後、７つの可動役物７４，７５，７６，７７が、展開位置Ｅ２で大きく展開することができるので、また、場合によりサブ画像表示装置９９と協働して演出を行わせることで、インパクトのある役物演出を実現することができる。
【０２２３】
役物作動手段７８において、役物駆動手段８０が、主動可動役物７４を移動させ、役物連動手段８１が、役物駆動手段８０が主動可動役物７４を移動させる動力により従動可動役物７５，７６，７７を動作させるので、可動役物７４，７５，７６，７７を連動させて全体的に円滑に作動させ、また、第２可動役物５２，５３，５４を作動させる為の電動モータや原点ＳＷを別途設ける必要がなく、電動モータや原点ＳＷの配線等を含む構造を簡単化でき、製造コスト的にも有利になる。
【０２２４】
ここで、従来の液晶表示器で表示される３Ｄ画像は、立体的な画像であるが、あくまで液晶表示器の画面上の画像に過ぎないので、立体画像を空間に浮上した状態に表示することはできない。そのため、遊技機に３Ｄ画像を表示可能なサブ画像表示器を設けたとしても、体積型ディスプレイのように、立体画像等を空間に浮上した状態に表示することはできないから、斬新な迫力のある立体画像を表示するには限界がある。
【０２２５】
本発明のサブ画像表示装置９９によれば、サブ画像表示器１００の画面の前面側に配置した２層構造のマイクロレンズ２次元アレイ１０３によって、サブ画像表示器１００の画面に表示した特定の演出画像を、マイクロレンズ２次元アレイ１０３よりも前方の空間に浮上した状態のフローティング画像１０７ｃに変換して表示することができるため、３Ｄ画像等よりも格段に迫力のある斬新な演出画像を表示することができる。
【０２２６】
装飾部材１０８の一部に目視用基準部材１０８ａを構成するため、サブ画像表示装置９９の画面に表示する特定演出画像とマッチする違和感のない目視用基準部材１０８ａとすることができる。尚、目視用基準部材１０８ａは複数設けてもよい。
【０２２７】
前記サブ画像表示装置９９を部分的に変更する例について説明する。
１）２層構造のマイクロレンズ２次元アレイ１０３に代えて、それと同等の機能を発揮する１層構造のマイクロレンズ２次元アレイを採用してもよい。
【０２２８】
２）前記目視用基準部材１０８ａを配置する位置は、画面の前方に限らず、画面の前方の近傍位置、つまり、前方から見るとき目視用基準部材１０８ａが画面と重複する必要はなく、画面の近傍部に重複する位置であればよい。
【０２２９】
３）前記実施例では、サブ画像表示装置９９に２層構造のマイクロレンズ２次元アレイ１０３を組み込んだ例を示したが、遊技演出用の画像表示装置１６に、前記２層構造のマイクロレンズ２次元アレイ１０３を組み込み、画像表示装置１６で表示する画像をフローティング画像にして表示するように構成してもよい。その場合、遊技演出用の斬新なフローティング画像を遊技盤４の中央部に大きく表示できる。この場合、画像表示装置１６を３Ｄの液晶表示器で構成すれば、３Ｄ画像のフローティング画像を表示可能になる。
【０２３０】
ここで、従来の可動役物装置において、可動役物の取付ベースにサブ画像表示器を複数（例えば、４〜５本）のビスにより着脱可能に取付ける取付構造では、サブ画像表示器の取付けの際には、取付ベースにサブ画像表示器を位置決めして複数のビスを締結し、また、サブ画像表示器の交換や点検・補修等のために、複数のビスを締結解除して、取付ベースからサブ画像表示器を取外すことができる。
【０２３１】
しかし、取付ベースにサブ画像表示器を複数のビスにより着脱可能に取付ける取付構造では、サブ画像表示器の取付け、及び取外しが、複数のビスの締結、及び締結解除の作業を要するので非常に面倒である。特に、サブ画像表示器を取付ける際には、取付ベースにサブ画像表示器を位置決めして複数のビスを締結する必要があるが、その位決めが、取付ベースやサブ画像表示器等の構成によって難しくなる虞もある。
【０２３２】
本発明の取付構造１１０によれば、サブ画像表示装置９９に設けられた第１爪部１００ｅ、及び反転役物本体７２ａに設けられた第１係合部１１１ａを有し、第１爪部１００ｅを第１係合部１１１ａに上方から係合させることが可能な第１係合手段１１１と、サブ画像表示装置９９に設けられた第２爪部１００ｆ、及び反転役物本体７２ａに設けられた第２係合部１１２ａを有し、第１係合手段１１１により第１爪部１００ｅを第１係合部１１１ａに係合させた状態で、第２爪部１００ｆを第２係合部１１２ａに前方から係合させることが可能な第２係合手段１１２とを備えたので、 上記課題を改善できる。
【０２３３】
つまり、サブ画像表示装置９９を反転役物本体７２ａに取付ける際には、先ず、サブ画像表示装置９９を多少前傾姿勢にして、サブ画像表示装置９９の第１爪部１００ｅを反転役物本体７２ａの第１係合部１１１ａに上側から係合させ、次に、第１爪部１００ｅを略中心にしてサブ画像表示装置９９を後方へ傾動させて、画像表示装置９９の第２爪部１００ｆを反転役物本体７２ａの第２係合部１１２ａに前側から係合させ、ここで、第１係合部１１１ａを第１係合部１１１ａに係合させた状態を保持して、第２爪部１００ｆを第２係合部１１２ａに容易に係合させることができる。このように、サブ画像表示装置９９を反転役物本体７２ａに容易に位置決めして取付けることができる。
【０２３４】
第２爪部１００ｆが第２係合部１１２ａから係合解除しない限り、第１爪部１００ｅが第１係合部１１１ａから係合解除することはないので、そして、第２爪部１００ｆの先端部に、第２係合部１１２ａに係止解除可能に係止される係止爪１１５が設けられているので、特にビス等を用いなくても、係止爪１１５を第２係合部１１２ａに係止させて、第２爪部１００ｆが第２係合部１１２ａから係合解除しないようにして、サブ画像表示装置９９を反転役物本体７２ａに固定することができる。
【０２３５】
但し、サブ画像表示装置９９と反転役物本体７２ａとを第２爪部１００ｆ及び第２係合部１１２ａの近傍において固定する１つのビス１１３を備えている。依って、その１つのビス１１３を締結して、第２爪部１００ｆが第２係合部１１２ａから係合解除するのを確実に防止することができ、また、使用するビス１１３は１つだけであるので、その締結作業も面倒にならない。このように、サブ画像表示装置９９を反転役物本体７２ａに容易に且つ確実に固定することができる。
【０２３６】
一方、サブ画像表示装置９９の交換や点検・補修等のために、サブ画像表示装置９９を反転役物本体７２ａから取外す際には、先ず、１つのビス１１３を締結解除して、次に、係止爪１１５を第２係合部１１２ａから係止解除させる。ここで、第２爪部１００ｆは弾性変形可能に構成され、故に、サブ画像表示装置９９を反転役物本体７２ａに取付ける際には、第２爪部１００ｆを弾性変形させて、係止爪１１５を第２係合部１１２ａに係止させることができるが、反転役物本体７２ａに、第２爪部１００ｆを弾性変形させて、係止爪１１５を第２係合部１１２ａから係止解除させるように操作する工具を挿入する為の工具挿入孔１１６ｅが形成されている。
【０２３７】
つまり、工具を用いて係止爪１１５を第２係合部１１２ａから係止解除させつつ、第１爪部１００ｅを略中心にしてサブ画像表示装置９９を前方へ傾動させて、第２爪部１００ｆを第２係合部１１２ａから前側へ係合解除させ、サブ画像表示装置９９を多少前傾姿勢にして、次に、第１爪部１００ｅを第１係合部１１１ａから上側へ係合解除させる。このように、サブ画像表示装置９９を反転役物本体７２ａから容易に取外すことができる。
【０２３８】
ここで、従来の遊技機において、駆動制御部側から可動役物側へ延びる複数のフレキシブルケーブルが、それらケーブルの幅方向両端同士を合わせて重ねたケーブル重層部を有するものでは、そのケーブル重層部において、可動役物を駆動する第１信号を伝送する第１フレキシブルケーブルの第１信号線と、画像表示器に演出画像を表示せる第２信号を伝送する第２フレキシブルケーブルの第２信号線とが接近していると、第２信号が第１信号によって影響を受けてノイズを発生し、演出画像の画質が劣化する虞がある。
【０２３９】
そこで、ケーブル重層部において、第１，第２信号線が対応する位置にならないように、つまり相互に離隔した位置になるように配線されることが考えられるが、第１フレキシブルケーブルには、その略全幅に亙って第１信号線を含む複数の導線が配線され、また、第２フレキシブルケーブルには、その略全幅に亙って第２信号線を含む複数の導線が配線されると、第１，第２信号を相互に離隔させるのに限界がある。
【０２４０】
本発明のパチンコ遊技機１によれば、電動モータ８０ａを駆動する為の第１信号を伝送する第１信号線１４１αを含む複数の導線１４１が配線された第１フレキシブルケーブル１３１と、サブ画像表示器１００に演出画像を表示せる為の第２信号を伝送する第２信号線１４２αを含む複数の導線１４２が配線され、且つ第１フレキシブルケーブル１３１と同幅の第２フレキシブルケーブル１３２とが、それらケーブル１３１，１３２の幅方向両端同士を合わせて重ねた第１のケーブル重層部１３５を有し、第２フレキシブルケーブル１３２に、複数の導線１４２の配線領域１４２Ａの幅方向片側おいて導線を配線しない所定幅の余白領域１４２Ｂを設けた。この場合、第２配線領域１４２Ａをその幅方向中心Ｗo2がケーブル１３２の幅方向中心Ｃo2からずれるように設けて、第２フレキシブルケーブル１３２に余白領域１４２Ｂを設けることができる。
【０２４１】
第１配線領域１４１Ａをその幅方向中心Ｗo1がケーブル１３１の幅方向中心Ｃo1と一致するように設け、第１のケーブル重層部１３５において、第１フレキシブルケーブル１３１における複数の導線１４１の第１配線領域１４１Ａと第２フレキシブルケーブル１３２における複数の導線１４２の第２配線領域１４２Ａとを、第１配線領域１４１Ａの幅方向中心Ｗo1と第２配線領域１４２Ａの幅方向中心Ｗo2とがケーブル１３１，１３２の幅方向にずれるように設けるとともに、第１，第２信号線１４１α，１４２αが対応する位置にならないように配線されている。
【０２４２】
ここで、第１，第２フレキシブルケーブル１３１，１３２が同幅であるので、第１のケーブル重層部１３５において、第１，第２フレキシブルケーブル１３１，１３２を、それらの幅方向両端同士を合わせて、所期の位置関係となるように容易に配設することができる。それで以て、前記のように、第２フレキシブルケーブル１３２に余白領域１４２Ｂを設けることで、第１，第２信号線１４１α，１４２αを従来よりも幅方向に相互に離隔する位置に配線することができ、つまり、サブ画像表示器１００に表示する演出画像の画質がノイズにより劣化しないようにする対策を強化することができる。
【０２４３】
また、第１配線領域１４１Ａにおける複数の導線１４１を所定間隔おきに0.5mmピッチで配線し、第２配線領域１４２Ａにおける複数の導線１４２を前記同所定間隔おきに0.5mmピッチで配線したので、第１のケーブル重層部１３５（第２のケーブル重層部１３６を除く）において、第１フレキシブルケーブル１３１の複数の導線１４１の被覆部分と、第２フレキシブルケーブル１３２の同数の複数の導線１４２の被覆部分とを夫々接触させ、それが抵抗となって、第１，第２フレキシブルケーブル１３１，１３２が幅方向へズレ難いようにして重ねられる。
【０２４４】
更に、第３配線領域１４３Ａにおける複数の導線１４３を前記所定間隔の約２倍の間隔おきに１mmピッチ（前記0.5mmピッチの２倍（整数倍））で配線したので、第２のケーブル重層部１３６において、第１フレキシブルケーブル１３１の複数の導線１４１の被覆部分と、第３フレキシブルケーブル１３３の同数の複数の導線１４３の被覆部分とを夫々接触させ、また、第２フレキシブルケーブル１３２の同数の複数の導線１４２の被覆部分と、第３フレキシブルケーブル１３３の同数の複数の導線１４３の被覆部分とを夫々接触させ、それが抵抗となって、第１，第２，第３フレキシブルケーブル１３１，１３２，１３３が幅方向へズレ難いようにして重ねられる。
【０２４５】
ここで、従来の可動役物装置において、可動役物を回動させる回動駆動手段のバックラッシュを除去するために、可動役物を常時一方の回動方向へ付勢する捩じりバネを設けることが考えられる。一般的な捩じりバネは、巻数が小さく、故に、小型であるので設置上有利であり、捩じりバネ定数が比較的大きくなっても、可動役物の回動角度（つまり、捩じりバネの最大捩じれ角）が小さい可動役物装置に対しては有効である。
【０２４６】
しかし、可動役物の回動角度（例えは、本実施例に係る反転役物７０の回動角度；約１８０度）が比較的大きい可動役物装置に対しては、可動役物の回動による捩じりバネの付勢力の変化が大きくなり過ぎるため、その付勢力に抗して可動役物を回動させる回動駆動手段の負荷が大きくなり、回動駆動手段の電動モータが脱調する虞があり、また、捩じりバネがへたり易く、長期使用により初期性能が維持され難いという課題が生じる。
【０２４７】
本発明の可動役物装置１８によれば、反転役物７２を常時一方の回動方向へ付勢するコイルバネ１５５を備え、反転駆動手段７３は、電動モータ７３ａにより回動されて、反転役物７２に駆動力を伝達する軸部材１５１を有し、コイルバネ１５５は、軸部材１５１に外装され、一端部が軸部材１５１に係止され他端部が回動役物本体７０ａに係止されているので、上記課題を改善できる。
【０２４８】
つまり、コイルバネ１５５の長さを長くし巻数を大きくして捩じりバネ定数を小さくすることができ、故に、反転役物７０の回動角度；約１８０度が比較的大きいが、反転役物７４の回動によるコイルバネ１５５の付勢力の変化が大きくなり過ぎるのを抑えて、コイルバネ１５５により適正な付勢力で反転役物７４を回動付勢することができ、故に、反転駆動手段７３の負荷が大きくなり、電動モータ７３ａが脱調することを防止し、また、コイルバネ１５５がへたり難く、長期使用に対しても初期性能が維持され易くなる。
【０２４９】
しかも、コイルバネ１５５を軸部材１５１に外装して整然と配設することができ、コイルバネ１５５の一端部を軸部材１５１に直接固定するので、コイルバネ１５５に関する構造もシンプルになる。こうした効果を実現して、コイルバネ１５５により、反転駆動手段７３に予圧をかけて、反転駆動手段７３（ギヤ機構１５２）のバックラッシュ（作動クリアランス）を除去（吸収）することができる。
【０２５０】
軸部材１５１を回動役物本体７０ａに回動自在に支持する第１，第２軸受け部１５３ａ，１５３ｂを間隔を空けて設け、コイルバネ１５５が軸部材１５１のうちの第１，第２軸受け部１５３ａ，１５３ｂ間の軸部分に外装されている。つまり、軸部材１５１を回動自在に支持する支持機能を確実に確保した上で、軸部材１５１の前記軸部分を利用し、その軸部分にコイルバネ１５５を外装することができる。
【０２５１】
反転駆動手段７３は、電動モータ７３ａから軸部材１５１に駆動力を伝達するギヤ機構１５２を有するので、そのギヤ機構１５２のバックラッシュを除去することができ、また、軸部材１５１に反転役物７２が固定的に連結されているので、反転駆動手段７３、及び反転役物７２と反転駆動手段７３との連結をシンプルに構成することができる。
【０２５２】
次に、パチンコ遊技機１の制御系について説明する。
図６２、図６３に示すように、制御装置２００は、遊技制御基板２０１、払出制御基板２０２、演出制御基板２０３、画像制御基板２０４、ランプ制御基板２０５を備え、これら制御基板２０１〜２０５に夫々ＣＰＵとＲＯＭとＲＡＭを含むコンピュータを備えて構成され、演出制御基板２０３は更にＲＴＣ（「ＲＴＣ」はリアルタイムクロックを意味する）を備えている。
【０２５３】
遊技制御基板２０１のコンピュータは、第１始動口ＳＷ１０ｃ、第２始動口ＳＷ１０ｄ，１１ｃ、ゲートＳＷ１２ａ、大入賞口ＳＷ１３ｃ、複数の一般入賞口ＳＷ１４ａからの信号、払出制御基板２０２からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２０２、演出制御基板２０３に制御情報を出力する。
【０２５４】
払出制御基板２０２のコンピュータは、遊技制御基板２０１からの制御情報、払出球検出ＳＷ２０６ｂ、球有り検出ＳＷ２０６ｃ、満タン検出ＳＷ２０６ｄからの信号を受けて、払出モータ２０６ａを制御し、遊技制御基板２０１に制御情報を出力する。
【０２５５】
演出制御基板２０３のコンピュータは、遊技制御基板２０１、画像制御基板２０４、ランプ制御基板２０５からの制御情報、演出ボタンＳＷ６からの信号を受けて、画像制御基板２０４、ランプ制御基板２０５に制御情報を出力する。画像制御基板２０４のコンピュータは、演出制御基板２０３からの制御情報を受けて、遊技演出用の画像表示装置１６、スピーカ２０７を制御し、演出制御基板２０３に制御情報を出力する。
【０２５６】
ランプ制御基板２０５のコンピュータは、演出制御基板２０３からの制御情報、第１，第２の可動役物装置１７，１８（原点ＳＷ５１ｃ，７１ｃ，７３ｃ，７８ａ）からの信号を受けて、遊技演出用の枠ランプ２０８ａ、盤ランプ２０８ｂ、第１，第２の可動役物装置１７，１８（電動モータ５１ａ，７１ａ，７３ａ，８０ａ、サブ画像表示装置９９、電飾装置１４１，１４２）を制御し、演出制御基板２０３に制御情報を出力する。尚、サブ画像表示装置９９は、画像制御基板２０４のコンピュータにより制御されるようにしてもよい。尚、第１の可動役物装置１７の電飾装置１４１は、電飾部５２ａ，５３ａ，５４ａ，６０ａ，６１ａ，６３ａ，６４ａ，６５ａ等により構成され、第２の可動役物装置１７の電飾装置１４２は、電飾部７４ａ，７５ａ，７６ａ，７７ａ、サブ画像表示装置９９に設けられた電飾部（図示略）等により構成されている。
【０２５７】
図６４に示すように、遊技制御基板２０１の主にコンピュータにより、図示の各手段２１０〜２１７，２２０〜２２７，２３０が構成されている。特図カウンタ手段２１０は、大当り判定値、特図判定値、リーチ判定値、変動パターン判定値を、夫々設定範囲内で微小時間毎に順次更新する。
【０２５８】
特図取得手段２１１は、遊技球が第１始動口１０ａに入賞したときに第１特図保留数が４未満の場合に特図始動条件が成立して、特図カウンタ手段２１０により更新された大当り判定値、特図判定値、リーチ判定値、変動パターン判定値を、１組の第１特図判定情報として取得し、遊技球が第２始動口１０ｂ，１１ａの何れかに入賞したときに第２特図保留数が４未満の場合に特図始動条件が成立して、特図カウンタ手段２１０により更新された大当り判定値、特図判定値、リーチ判定値、変動パターン判定値を、１組の第２特図判定情報として取得する。
【０２５９】
特図保留記憶手段２１２は、特図取得手段２１１により取得され且つ特図判定手段２１４（大当り判定手段２１４ａ）による判定に供していない第１，第２特図判定情報を夫々４個まで、つまり特図判定情報を合計８個まで記憶（保留）可能である。
【０２６０】
特図保留消化手段２１３は、特図保留記憶手段２１２に記憶されている特図判定情報を、特別図柄の変動開始毎に順次１ずつ特図判定手段２１４による判定に供して特図保留記憶手段２１２から消去（保留消化）する。その際、特図保留記憶手段２１２に複数の特図判定情報が記憶されている場合、それら複数の特図判定情報を特図保留記憶手段２１２に記憶された順番（即ち、特図取得手段２１１により取得された順番）で消化する。
【０２６１】
特図判定手段２１４においては、特図取得手段２１１により取得された特図判定情報に基づいて、詳しくは、特別図柄が変動表示される際、当該特別図柄の変動表示に係る特図判定情報、つまり特図保留消化手段２１３により消化された特図判定情報に基づいて、大当り判定手段２１４ａが、遊技者に有利な特別遊技を行うか否かを判定し、特別遊技を行うと判定すると、図柄判定手段２１４ｂが、当該特別遊技中の大入賞口１３ａの開閉パターン、及び当該特別遊技終了後の遊技状態を判定する。
【０２６２】
具体的に、先ず、大当り判定手段２１４ａが、特図判定情報の大当り判定値に基づいて、特別遊技である大当り遊技を行うか否かを、また、大当り遊技と部類が異なる特別遊技である小当り遊技を行うか否かを判定する。この場合、図６５に示すように、大当り判定テーブルとして低確テーブルと高確テーブルの何れかを用いて判定する。
【０２６３】
低確テーブルを用いる場合、大当り判定値が約1/320の割合で大当り特定値（3,247・・・）の何れかと一致すると、大当り遊技を行うと判定し、高確テーブルを用いる場合、大当り判定値が約10/320の割合で大当り特定値（3,7・・・）の何れかと一致すると、大当り遊技を行うと判定し、低確テーブルと高確テーブルの何れを用いる場合でも、大当り判定値が約3/320の割合で小当り特定値（4,44・・・）の何れかと一致すると、小当り遊技を行うと判定する。
【０２６４】
大当り遊技を行うと判定すると、図柄判定手段２１４ｂが、当該特図判定情報の特図判定値に基づいて、複数の大当り図柄（図６６に示す大当り図柄Ａ〜Ｈ）の何れか１つを選択する。ここで、その特図判定値が第１特図判定情報である場合は、図６６に示す第１図柄選択テーブルにより規定される選択率で図柄選択を行い、第２特図判定情報である場合は、図６６に示す第２図柄選択テーブルにより規定される選択率で図柄選択を行う。
【０２６５】
特図表示制御手段２１５は、特図判定手段２１４による判定結果に基づいて、特図保留消化手段２１３により第１特図判定情報が消化されたことを契機に、第１特図表示器１９ａに第１特別図柄を変動表示させた後に当該判定結果を示す判定図柄を停止表示させ、特図保留消化手段２１３により第２特図判定情報が消化されたことを契機に、第２特図表示器１９ｂに第２特別図柄を変動表示させた後に当該判定結果を示す判定図柄を停止表示させる。
【０２６６】
大当り判定手段２１４ａにより大当り遊技を行うと判定されると、図柄判定手段２１４ｂにより選択された大当り図柄Ａ〜Ｈの何れか１つを停止表示させ、小当り遊技を行うと判定されると、小当り図柄を停止表示させ、特別遊技（大当り遊技、小当り遊技）を行わないと判定されると、ハズレ図柄を停止表示させる。
【０２６７】
特別遊技実行手段２１６は、大当り判定手段２１４ａにより特別遊技（大当り遊技、小当り遊技）を行うと判定された場合、特図表示制御手段２１５により、当該判定結果を示す判定図柄、つまり図柄判定手段２１４ｂにより選択された判定図柄（大当り図柄、小当り図柄）が停止表示された後、その判定図柄に応じた開閉パターンで大入賞口１３ａを開閉させる遊技者に有利な特別遊技（大当り遊技、小当り遊技）を行う。
【０２６８】
図６７に示すように、大当り遊技中の大入賞口１３ａの開閉パターンは、大当り図柄の種類に応じて図示のように設定され、小当り遊技中の大入賞口１３ａの開閉パターンは、大当り図柄Ｄ，Ｅ，Ｇ，Ｈに対応する開閉パターンと同様に設定される。
【０２６９】
具体的に、16Ｒ（ラウンド）長期開放では、大入賞口１３ａが16Ｒに亙って開閉され、各ラウンドは、大入賞口１３ａを開放して開始後、大入賞口１３ａに遊技球が例えば10個入賞する、或いは例えば30秒経過するＲ終了条件が成立すると、大入賞口１３ａを閉塞して終了する。８Ｒ長期開放では、大入賞口１３ａが８Ｒに亙って開閉され、各ラウンドは開始後、16Ｒ長期開放と同様のＲ終了条件が成立すると終了する。８Ｒ短期開放では、大入賞口１３ａが８Ｒに亙って開閉され、各ラウンドは開始後、大入賞口１３ａに遊技球が例えば10個入賞する、或いは例えば0.1秒経過するＲ終了条件が成立すると終了する。
【０２７０】
確率設定手段２１７は、大当り判定手段１１４ａにより大当り遊技を行うと判定される大当り確率を、図６５に示す低確テーブルを用いて第１の確率（約1/320）又は図６５に示す高確テーブルを用いて第１の確率よりも高い第２の確率（約10/320）に設定する。
【０２７１】
一方、普図カウンタ手段２２０は、当り判定値、普図判定値を、夫々微小時間毎に順次更新する。普図取得手段２２１は、遊技球がゲート１２を通過したときに普図保留数が４未満の場合に普図始動条件が成立して、普図カウンタ手段２２０により更新された当り判定値、普図判定値を、１組の普図判定情報として取得する。普図保留記憶手段２２２は、普図取得手段２２１により取得され且つ普図判定手段２２４による判定に供していない普図判定情報を４個まで記憶（保留）可能である。
【０２７２】
普図保留消化手段２２３は、普図保留記憶手段２２２に記憶されている普図判定情報を普図表示器１９ｃでの普通図柄の変動開始毎に順次１ずつ普図判定手段２２４による判定に供して普図保留記憶手段２２２から消去（保留消化）する。その際、普図保留記憶手段２２２に複数の普図判定情報が記憶されている場合、それら複数の普図判定情報を普図保留記憶手段２２２に記憶された順番（即ち、普図取得手段２２１により取得された順番）で消化する。
【０２７３】
普図判定手段２２４は、普図始動条件の成立により普図取得手段２２１により取得された普図判定情報に基づいて、詳しくは、普通図柄が変動表示される際、当該普通図柄の変動表示に係る普図判定情報、つまり普図保留消化手段２２３により消化された普図判定情報に基づいて、補助遊技を行うか否かを判定する。
【０２７４】
普図表示制御手段２２５は、普図判定手段２２４による判定結果に基づいて、普図保留消化手段２２３により普図判定情報が消化されたことを契機に、普図表示器１９ｃに普通図柄を変動表示させた後に当該判定結果を示す判定図柄を停止表示させる。普図判定手段２２４により補助遊技を行うと判定された場合には、当り図柄を停止表示させ、補助遊技を行わないと判定された場合には、ハズレ図柄を停止表示させる。
【０２７５】
補助遊技実行手段２２６は、普図判定手段２２４により補助遊技を行うと判定された場合、普図表示制御手段２２５により、その判定結果を示す判定図柄、つまり当り図柄が停止表示された後、第２始動口１１ａを開閉させる補助遊技を行う。
【０２７６】
作動モード設定手段２２７は、図６８に示すように、第２始動口作動モードとして、第２始動口１１ａを開状態に作動させ難い低作動モード又は開状態に作動させ易い高作動モードを設定する。
【０２７７】
具体的に、低作動モードでは、普図判定手段２２４により補助遊技を行うと判定される当り確率が1/10、普図表示器１９ｃでの普通図柄の普図変動時間が12秒、補助遊技中の第２始動口１１ａの始動口開閉パターンが0.1秒×1回に設定され、高作動モードでは、当り確率が10/10、普図変動時間が0.5秒、始動口開閉パターンが2.0秒×3回に設定される。
【０２７８】
遊技状態制御手段２３０は、複数の遊技状態（図６９示す通常遊技状態、時短遊技状態、潜確遊技状態、確変遊技状態）の何れか１つを択一的に設定し、その遊技状態で遊技を制御する。尚、電源投入時には前回の電源遮断時に設定されていた遊技状態を継続的に設定し、電源投入時に所謂ＲＡＭクリアが実行された場合には通常遊技状態を設定する。
【０２７９】
図６９に示すように、通常遊技状態、時短遊技状態が設定された場合、確率設定手段２１７により第１の確率（約1/320）が設定され、潜確遊技状態、確変遊技状態が設定された場合、確率設定手段２１７により第２の確率（約10/320）が設定される。また、通常遊技状態、潜確遊技状態が設定された場合、作動モード設定手段２２７により低作動モードが設定され、時短遊技状態、確変遊技状態が設定された場合、作動モード設定手段２２７により高作動モードが設定される。
【０２８０】
遊技状態制御手段２３０は、特別遊技実行手段２１６により大当り遊技が行われた場合、その大当り遊技終了後の遊技状態を図６７に示すように設定変更する。大当り図柄Ａ〜Ｃの何れかが停止表示されて、所謂「確変大当り」になった場合、当該大当り遊技終了後に確変遊技状態が設定され、大当り図柄Ａ，Ｂの停止からは、その後、特図表示器１９ａ，１９ｂでの特別図柄の特図変動回数が10000回に達すると、通常遊技状態へ移行され、大当り図柄Ｃの停止からは、その後、特図変動回数が50回に達すると、潜確遊技状態へ移行され、更に、特図変動回数が10000回に達すると、通常遊技状態へ移行される。
【０２８１】
大当り図柄Ｄが停止表示されて、所謂「突確大当り」になった場合、当該大当り遊技終了後に確変遊技状態が設定され、その後、特図変動回数が10000回に達すると、通常遊技状態へ移行される。大当り図柄Ｅが停止表示されて、所謂「潜確大当り」になった場合、当該大当り遊技終了後に潜確遊技状態（又は確変遊技状態）が設定され、その後、特図変動回数が10000回に達すると、通常遊技状態へ移行される。
【０２８２】
大当り図柄Ｆが停止表示されて、所謂「通常大当り」になった場合、また、大当り図柄Ｇが停止表示されて、所謂「突時大当り」になった場合、当該大当り遊技終了後に時短遊技状態が設定され、その後、特図変動回数が50回に達すると、通常遊技状態へ移行される。大当り図柄Ｈが停止表示されて、所謂「突通大当り」になった場合、当該大当り遊技終了後に通常遊技状態が設定される。小当り図柄が停止表示されて、所謂「小当り」になった場合、当該小当り遊技終了後に当該小当り遊技開始前の遊技状態が設定される（即ち、遊技状態は設定変更されない）。
【０２８３】
図６４に示すように、演出制御基板２０３、画像制御基板２０４、ランプ制御基板２０５のコンピュータ等により、遊技演出を演出手段２５０（画像表示装置１６、第１，第２の可動役物装置１７，１８、スピーカ２０７、ランプ２０８ａ，２０８ｂ）に行わせる演出制御手段２４０が構成され、その演出制御手段２４０は、図柄変動演出制御手段２４１、特別遊技演出制御手段２４２、役物制御手段２４３を備えている。
【０２８４】
図柄変動演出制御手段２４１は、特図判定手段２１４による判定結果に基づいて、特図表示制御手段２１５により特別図柄が変動表示されているときに、図７０（１）に示す複数の図柄変動演出（図柄変動演出１，２，３・・・ｎ）の中から選択した図柄変動演出を行わせる。各図柄変動演出は、特図判定手段２１４による判定結果（特別遊技を行うと判定された期待度）を示唆するように行われる。
【０２８５】
特別遊技演出制御手段２４２は、特別遊技実行手段２１６により特別遊技（大当り遊技、小当り遊技）が行われているときに、図７０（２）に示す複数の特別遊技演出（特別遊技演出１，２，３・・・ｎ）の中から選択した特別遊技動演出を行わせ、その特別遊技の最後に、図７０（３）に示す複数のエンディング演出（エンディング演出１，２，３・・・ｎ）の中から選択したエンディング演出を行わせる。
【０２８６】
役物制御手段２４３は、図柄変動演出制御手段２４１により行われている特定の図柄変動演出において、特図判定手段２１４による判定結果（特別遊技を行うと判定された期待度）を示唆するように、或いは、特別遊技演出制御手段２４２により行われている特定の特別遊技演出や特定のエンディング演出において、第１，第２の可動役物装置１７，１８の少なくとも一方を作動させるように制御する。
【０２８７】
さて、図柄変動演出制御手段２４１は図柄変動演出において、また、特別遊技演出制御手段２４２は特別遊技演出とエンディング演出において、基本的に、画像表示装置１６に演出画像（選択された遊技演出）を常時表示させるが、更に第２の可動役物装置１８のサブ画像表示装置９９にも演出画像（選択された遊技演出）を表示させ、更にそこで、役物制御手段２４３が、第２の可動役物装置１８を作動させる（サブ画像表示装置９９と共に回動役物７０、反転役物７２を動作させる）場合がある。
【０２８８】
例えば、図７１に示すように、サブ画像表示装置９９に演出画像を表示させる図柄変動演出としては、図示の特定の図柄変動演出１〜５の何れかが行われる。尚、基本的に、特定の図柄変動演出１→２→３→４→５の順で、特別遊技期待度（特別遊技を行うと判定された期待度）が高くなるようにしている。
【０２８９】
特定の図柄変動演出１では、回動役物７０は第１回動位置Ｃ１に、反転役物７２は第１反転位置Ｄ１に夫々停止される。特定の図柄変動演出２では、回動役物７０は第１回動位置Ｃ１に停止され、少なくともサブ画像表示装置９９に演出画像が表示されているとき、望ましくは極力早い段階で、反転役物７２は第１反転位置Ｄ１付近で数回（例えば、１〜３回）揺動（往復回動）される。
【０２９０】
特定の図柄変動演出３では、回動役物７０は第１回動位置Ｃ１から第２回動位置Ｃ２へ回動され、反転役物７２は第１反転位置Ｄ１に停止され、その後、回動役物７０は第２回動位置Ｃ２から第１回動位置Ｃ１へ回動される。特定の図柄変動演出４では、図柄変動演出３と同様、回動役物７０は第１回動位置Ｃ１から第２回動位置Ｃ２へ回動され、その後、少なくともサブ画像表示装置９９に演出画像が表示されているとき、望ましくは極力早い段階で、反転役物７２が第１反転位置Ｄ１付近で数回揺動され、その後、回動役物７０は第２回動位置Ｃ２から第１回動位置Ｃ１へ回動される。
【０２９１】
特定の図柄変動演出５では、特定の図柄変動演出４と同様、回動役物７０は第１回動位置Ｃ１から第２回動位置Ｃ２へ回動され、その後、少なくともサブ画像表示装置９９に演出画像が表示されているとき、望ましくは極力早い段階で、反転役物７２は第１反転位置Ｄ１付近で数回揺動され、その後、反転役物７２は第１反転位置Ｄ１から第２反転位置Ｄ２へ回動され、その反転役物７２の第１反転位置Ｄ１から第２反転位置Ｄ２への回動時に、サブ画像表示装置９９の画面が暗転表示（つまりブラックアウト）される。
【０２９２】
その後、前記のように、可動役物７４，７５，７６，７７は収納位置Ｅ１から展開位置Ｅ２へ作動されるが、次に、可動役物７４，７５，７６，７７は展開位置Ｅ２から収納位置Ｅ１へ作動されてから、反転役物７２は第２反転位置Ｄ２から第１反転位置Ｄ１へ回動され、その後、回動役物７０は第２回動位置Ｃ２から第１回動位置Ｃ１へ回動される。反転役物７２の第２反転位置Ｄ２から第１反転位置Ｄ１への回動時以降、サブ画像表示装置９９に演出画像が再び表示されてもよい。
【０２９３】
ここで、特定の図柄変動演出２，４，５において、反転役物７２を第１反転位置Ｄ１付近で揺動されることで、サブ画像表示装置９９と装飾部材１０８とが相対移動され、これにより、遊技者が装飾部材１０８の目視用基準部１０８ａに目を引かれ、つまり、マイクロレンズ２次元アレイ１０３の前側又は前側近傍において、フローティング画像１０７ｃを見る際に眼の焦点をフローティング画像１０７ｃに合せ易くなる。
【０２９４】
尚、実施例では、反転役物７２を移動させて、サブ画像表示装置９９と装飾部材１０８とを相対移動させているが、装飾部材１０８を移動させて、サブ画像表示装置９９と装飾部材１０８とを相対移動させてもよい。また、実施例では、通常は（反転役物７２が第１反転位置Ｄ１にあるとき）、装飾部材１０８の目視用基準部１０８ａは、マイクロレンズ２次元アレイ１０３の前側又は前側近傍に位置しているが、装飾部材１０８を移動させるようにした場合、通常はマイクロレンズ２次元アレイ１０３の前側又は前側近傍から離れて位置し、フローティング画像１０７ｃを表示させる場合に、マイクロレンズ２次元アレイ１０３の前側又は前側近傍に移動させてもよい。
【０２９５】
ここで、メイン画像表示器の前方において回動可能に設けられたサブ画像表示器を有する可動役物装置では、サブ画像表示器に演出画像を表示させた状態で、サブ画像表示器を前向位置から後向位置へ回動させると、その演出画像の表示が、遊技者の見えないところで行われることになるので無駄であるし、メイン画像表示器の画面に映り込む（メイン画像表示器の画面で反射する）と、メイン画像表示器に表示させる演出画像の邪魔になり、その演出画像を見えづらくする。
【０２９６】
本発明の演出制御手段２４０によれば、画像表示装置１６とサブ画像表示装置９９に演出画像を夫々表示させた状態から、サブに画像表示装置９９（反転役物７２）を第１反転位置Ｄ１から第２反転位置Ｄ２へ回動させると共に、当該回動時に、サブ画像表示装置９９の画面を暗転表示させる演出制御を実行可能であるので、上記課題を改善できる。
【０２９７】
ところで、第１，第２の演出役物装置１７，１８は、その両方が動作すると相互干渉する可能性がある。そこで、演出制御手段２４０は、第１，第２の演出役物装置１７，１８の両方が動作して相互干渉する虞がある場合、第１，第２の演出役物装置１７，１８の少なくとも一方の動作を制限するようにしてもよい。
【０２９８】
具体的に、演出制御手段２４０は、１の図柄変動演出において、第１の演出役物装置１７→第２の演出役物装置１８の順で動作させる場合、第１の演出役物装置１７において、役物本体６０を初期位置Ａ０から第１又は第２又は第３進出位置Ａ１又はＡ２又はＡ３へ移動させた後、初期位置Ａ０へ戻すまでは、第２の演出役物装置１８において、回動役物７０を第１回動位置Ｃ１から第２回動位置Ｃ２へ回動させないように制限する。
【０２９９】
或いは、演出制御手段２４０は、１の図柄変動演出において、第２の演出役物装置１８→第１の演出役物装置１７の順で動作させる場合、第２の演出役物装置１８において、回動役物７０を第１回動位置Ｃ１から第２回動位置Ｃ２へ回動させた後、第１回動位置Ｃ１へ戻すまでは、第１の演出役物装置１７において、役物本体６０を初期位置Ａ０から第１又は第２又は第３進出位置Ａ１又はＡ２又はＡ３へ移動させないように制限する。
【０３００】
但し、演出制御手段２４０は、第１，第２の演出役物装置１７，１８が相互干渉しない範囲で、第１の演出役物装置１７を通常に動作させているときに、第２の演出役物装置１８を動作させるように動作制限してもよいし、第２の演出役物装置１８を通常に動作させているときに、第１の演出役物装置１７を動作させるように動作制限してもよい。
【０３０１】
以上説明したパチンコ遊技機１の全体的な作用・効果は次の通りである。
遊技者は、通常遊技状態又は潜確遊技状態が設定されているときには、発射ハンドル７を操作して遊技球がセンタ役物１５の左側を落下するように、遊技球を発射させる所謂左打ちにより遊技を行い、時短遊技状態又は確変遊技状態が設定されているとき、或いは大当り遊技が行われているときには、発射ハンドル７を操作して遊技球がセンタ役物１５の右側を落下するように、遊技球を発射させる所謂右打ちにより遊技を行う。
【０３０２】
左打ちにより振分装置２０、つまり第１，第２始動口１０ａ，１０ｂを狙うことができ、第１特図保留数が４未満のときに、遊技球が第１始動口１０ａに入賞すると、第１特図判定情報が取得され特図保留記憶手段２１２に記憶され、第２特図保留数が４未満のときに、遊技球が第２始動口１０ｂに入賞すると、第２特図判定情報が取得され特図保留記憶手段２１２に記憶される。
【０３０３】
右打ちにより第２始動口１１ａ、ゲート１２を狙うことができ、第２特図保留数が４未満のときに、遊技球が第２始動口１１ａに入賞すると、第２特図判定情報が取得され特図保留記憶手段２１２に記憶され、普図保留数が４未満のときに、遊技球がゲート１２を通過すると、普図判定情報が取得され普図保留記憶手段２２２に記憶される。
【０３０４】
普図保留記憶手段２２２に記憶された普図判定情報は、普通図柄の変動開始毎に順次消化（消去）されて、当り抽選が行われ、その当り抽選で当選した場合、普図表示器１９ｃに当り図柄が変動停止後、第２始動口１１ａが開放する補助遊技が発生する。
【０３０５】
通常遊技状態又は潜確遊技状態が設定されている場合、右打ちを行っても振分装置２０から第１，第２始動口１０ａ，１０ｂへの遊技球の入賞を殆ど期待できないうえ、第２始動口作動モードとして低作動モードが設定され、第２始動口１１ａへの遊技球の入賞も殆ど期待できないため、左打ちにより所有の遊技球の数を減らしながら遊技を行い、時短遊技状態又は確変遊技状態が設定されている場合、第２始動口作動モードとして高作動モードが設定され、右打ちを行って第２始動口１１ａへの比較的多くの遊技球の入賞を期待できるため、右打ちにより所有の遊技球の数を略維持して遊技を行うことができる。
【０３０６】
特図保留記憶手段２１２に記憶された特図判定情報は、特別図柄の変動開始毎に順次消化（消去）され、その際、特図保留記憶手段２１２に複数の特図判定情報が記憶されている場合には、それら複数の特図判定情報は取得された順番で消化されて、大当り抽選が行われ、その大当り抽選で当選した場合、特図表示器１９ａ，１９ｂｃの何れかに大当り図柄が変動停止後、大入賞口１３ａが開放する大当り遊技が発生する。
【０３０７】
大当り遊技では、変動停止した大当り図柄の種類によって、16Ｒ長期開放、8Ｒ長期開放、8Ｒ短期開放の何れかが選択実行され、右打ちにより、16Ｒ長期開放では、例えば約2000個の遊技球を獲得でき、8Ｒ長期開放では、例えば約1000個の遊技球を獲得でき、8Ｒ短期開放では、遊技球を実質獲得できない。また、変動停止した大当り図柄の種類によって、当該大当り遊技終了後の遊技状態として、通常遊技状態、時短遊技状態、潜確遊技状態、確変遊技状態の何れかが選択設定される。
【０３０８】
大当り遊技、及び大当り遊技終了後の遊技状態について、第２特図判定情報（第２始動口１０ｂ，１１ａへの遊技球の入賞）に基づいて大当り抽選で当選した場合、第１特図判定情報（第１始動口１０ａへの遊技球の入賞）に基づいて大当り抽選で当選した場合よりも、より遊技者に有利になる割合が高くなる。左打ちにより、振分装置２０により複数の遊技球が第１，第２始動口１０ａ，１０ｂに交互に入賞して、第１特図判定情報に基づく大当り抽選と第２特図判定情報に基づく大当り抽選とが交互に行われる一方、時短遊技状態又は確変遊技状態における右打ちにより、複数の遊技球が第２始動口１１ａに連続的に入賞して、第２特図判定情報に基づく大当り抽選が連続的に行われる。
【０３０９】
一方、特別図柄が変動表示されているときには図柄変動演出が、また、特別遊技が行われているときには特別遊技演出とエンディング演出が、夫々、画像表示装置１６での表示を主体に行われ、遊技性並びに遊技興趣が高められ、更に、特定の図柄変動演出において、大当り抽選の結果（大当り期待度）を示唆するように、或いは、特定の特別遊技演出や特定のエンディング演出において、第１，第２の可動役物装置１７，１８の少なくとも一方が作動して、演出効果が高められる。
【０３１０】
第１，第２の可動役物装置１７，１８の各々について、例えば、図柄変動演出において、動作した場合に動作しなかった場合よりも「大当り」と判定された大当り期待度が高くなるように、また、その動作態様によって大当り期待度が異なるようにして、演出効果を一層高めることができる。
【０３１１】
その他、本発明の趣旨を逸脱しない範囲において種々の変更を付加して実施が可能であり、種々のパチンコ遊技機等の遊技機に本発明を適用可能である。
【符号の説明】
【０３１２】
１  パチンコ遊技機
４  遊技盤
４ａ  遊技領域
１０ａ  第１始動口（第１始動領域）
１０ｂ  第２始動口（第２始動領域）
２０  振分装置
２１  ベース部材
２２  ケース部材
２３  導入通路
２３ａ  導入口
２３ｂ  傾斜案内部(減速手段)
２３ｃ  折線部(減速手段)
２４  第１誘導通路
２４ｃ、２４ｄ  第１排出口
２５  第２誘導通路
２５ｃ、２５ｄ  第２排出口
３０  振分手段
３１  回動部材
３１ｃ〜３１ｅ  羽根
３２ａ  第１磁石（固定磁石）
３２ｂ  第２磁石（可動磁石）
３３ａ  受容部
３４  軸部材
３５  ボス部
３７ａ  磁石収容部
３８  キャップ部材
３８ａ  キャップ部
７２  反転役物（可動役物，演出役物）
７２ａ  反転役物本体（取付ベース）
７３  反転駆動手段（相対移動手段，回動駆動手段）
７３ａ  電動モータ（駆動部）
７４，７５，７６，７７  可動役物
９９  サブ画像表示装置（表示装置，画像表示装置）
１００  サブ画像表示器（画像表示器）
１００ｅ  第１爪部
１００ｆ  第２爪部
１０３  マイクロレンズ２次元アレイ
１０８  装飾部材
１０８ａ  目視用基準部材
１１０  取付構造
１１１  第１係合手段
１１１ａ  第１係合部
１１２  第２係合手段
１１２ａ  第２係合部
１１３  ビス（締結手段）
１１６ｅ  工具挿入孔
１３１  第１フレキシブルケーブル
１３２  第２フレキシブルケーブル
１３５  第１のケーブル重層部
１４１，１４２  導線
１４１α  第１信号線
１４２α  第２信号線
１４２Ａ  第２配線領域
１４２Ｂ  第２余白領域
１５１  軸部材
１５２  ギヤ機構
１５３ａ  第１軸受け部（第１枢支部）
１５３ｂ  第２軸受け部（第２枢支部）
１５５  コイルバネ（付勢手段，弾性部材）
２０５  ランプ制御基板（駆動制御手段）
２４０  演出制御手段
【図１】
0005946850.tif 000002
【図２】
0005946850.tif 000003
【図３】
0005946850.tif 000004
【図４】
0005946850.tif 000005
【図５】
0005946850.tif 000006
【図６】
0005946850.tif 000007
【図７】
0005946850.tif 000008
【図８】
0005946850.tif 000009
【図９】
0005946850.tif 000010
【図１０】
0005946850.tif 000011
【図１１】
0005946850.tif 000012
【図１２】
0005946850.tif 000013
【図１３】
0005946850.tif 000014
【図１４】
0005946850.tif 000015
【図１５】
0005946850.tif 000016
【図１６】
0005946850.tif 000017
【図１７】
0005946850.tif 000018
【図１８】
0005946850.tif 000019
【図１９】
0005946850.tif 000020
【図２０】
0005946850.tif 000021
【図２１】
0005946850.tif 000022
【図２２】
0005946850.tif 000023
【図２３】
0005946850.tif 000024
【図２４】
0005946850.tif 000025
【図２５】
0005946850.tif 000026
【図２６】
0005946850.tif 000027
【図２７】
0005946850.tif 000028
【図２８】
0005946850.tif 000029
【図２９】
0005946850.tif 000030
【図３０】
0005946850.tif 000031
【図３１】
0005946850.tif 000032
【図３２】
0005946850.tif 000033
【図３３】
0005946850.tif 000034
【図３４】
0005946850.tif 000035
【図３５】
0005946850.tif 000036
【図３６】
0005946850.tif 000037
【図３７】
0005946850.tif 000038
【図３８】
0005946850.tif 000039
【図３９】
0005946850.tif 000040
【図４０】
0005946850.tif 000041
【図４１】
0005946850.tif 000042
【図４２】
0005946850.tif 000043
【図４３】
0005946850.tif 000044
【図４４】
0005946850.tif 000045
【図４５】
0005946850.tif 000046
【図４６】
0005946850.tif 000047
【図４７】
0005946850.tif 000048
【図４８】
0005946850.tif 000049
【図４９】
0005946850.tif 000050
【図５０】
0005946850.tif 000051
【図５１】
0005946850.tif 000052
【図５２】
0005946850.tif 000053
【図５３】
0005946850.tif 000054
【図５４】
0005946850.tif 000055
【図５５】
0005946850.tif 000056
【図５６】
0005946850.tif 000057
【図５７】
0005946850.tif 000058
【図５８】
0005946850.tif 000059
【図５９】
0005946850.tif 000060
【図６０】
0005946850.tif 000061
【図６１】
0005946850.tif 000062
【図６２】
0005946850.tif 000063
【図６３】
0005946850.tif 000064
【図６４】
0005946850.tif 000065
【図６５】
0005946850.tif 000066
【図６６】
0005946850.tif 000067
【図６７】
0005946850.tif 000068
【図６８】
0005946850.tif 000069
【図６９】
0005946850.tif 000070
【図７０】
0005946850.tif 000071
【図７１】
0005946850.tif 000072